(57)【要約】伝送方法及び装置は、システムリソースが限られる場合に異なる伝送要求を満たすことができる。前記伝送方法は、端末デバイスが第１チャネルのチャネル優先度を確定することと、前記端末デバイスが前記第１チャネルのチャネル優先度に応じて、前記第１チャネルの伝送方式を確定することと、前記端末デバイスが確定された前記伝送方式を使用して前記第１チャネルの伝送を行うこととを含む。
2020503748.tif 000002
【特許請求の範囲】
【請求項１】
端末デバイスが第１チャネルのチャネル優先度を確定することと、
前記端末デバイスが前記第１チャネルのチャネル優先度に応じて、前記第１チャネルの伝送方式を確定することと、
前記端末デバイスが確定された前記伝送方式を使用して前記第１チャネルの伝送を行うこととを含む
ことを特徴とする伝送方法。
【請求項２】
前記第１チャネルがデータチャネルであり、
前記端末デバイスが第１チャネルのチャネル優先度を確定することは、
前記端末デバイスがネットワークデバイスにより送信されたダウンリンク制御情報ＤＣＩに応じて前記第１チャネルのチャネル優先度を確定することを含み、
前記ＤＣＩは、前記第１チャネルの伝送をスケジューリングするために用いられる
ことを特徴とする請求項１に記載の伝送方法。
【請求項３】
前記端末デバイスがネットワークデバイスにより送信されたＤＣＩに応じて前記第１チャネルのチャネル優先度を確定することは、
前記端末デバイスが、前記ＤＣＩに含まれる、第１チャネルのチャネル優先度を示すための優先度指示情報に応じて、前記第１チャネルのチャネル優先度を確定すること、又は、
前記端末デバイスが前記ＤＣＩのＤＣＩフォーマットに応じて、前記第１チャネルのチャネル優先度を確定すること、又は、
前記端末デバイスが前記ＤＣＩの巡回冗長検査ＣＲＣコードのスクランブリングシーケンスに応じて、前記第１チャネルのチャネル優先度を確定すること、又は、
前記端末デバイスが前記ＤＣＩの占用する制御チャネルリソースに応じて、前記第１チャネルのチャネル優先度を確定すること、又は、
前記端末デバイスが前記ＤＣＩに含まれる伝送タイミング指示情報に応じて、前記第１チャネルのチャネル優先度を確定すること、又は、
前記端末デバイスが前記ＤＣＩに含まれる伝送時間長指示情報に応じて、前記第１チャネルのチャネル優先度を確定することを含み、
前記伝送タイミング情報は、前記ＤＣＩと前記第１チャネルとの間の時間間隔及び／又は前記第１チャネルと前記第１チャネルに対応する確認／否認ＡＣＫ／ＮＡＣＫ応答との間のハイブリッド自動再送要求ＨＡＲＱ時系列を示すために用いられ、
前記伝送時間長指示情報は、前記第１チャネルの占用する時間領域リソースの長さを示すために用いられる
ことを特徴とする請求項２に記載の伝送方法。
【請求項４】
前記第１チャネルの伝送方式は、
前記第１チャネルのチャネル符号化方式、前記第１チャネルの伝送時間長、前記第１チャネルの多元方式、前記第１チャネルの変調符号化方式ＭＣＳ、前記第１チャネルの再送方式、前記第１チャネルの送信電力、前記第１チャネルの復調参照信号パターン、前記第１チャネルのプリコーディング方式、前記第１チャネルの仮想多重化方式、前記第１チャネルのリソース競合処理方式、前記第１チャネルの伝送周期、前記第１チャネルでの復号失敗時の情報記憶方式、前記第１チャネル内のアップリンク制御情報の伝送フォーマット、前記第１チャネルの伝送タイミング、前記第１チャネルのサイクリックプレフィックスＣＰタイプのうちの少なくとも１つを含む
ことを特徴とする請求項１〜３のいずれか１項に記載の伝送方法。
【請求項５】
前記第１チャネルがアップリンクチャネルである場合、前記第１チャネルの伝送方式が前記第１チャネルの送信電力を含み、
前記端末デバイスが前記第１チャネルのチャネル優先度に応じて、前記第１チャネルの伝送方式を確定することは、
前記端末デバイスが、前記第１チャネルを送信する同時に、ネットワークデバイスに第２チャネルを送信する必要があり、且つ、前記第１チャネルと前記第２チャネルの現在送信電力との和が前記端末デバイスの最大送信電力より大きい場合、前記第１チャネルのチャネル優先度に応じて、前記第１チャネルの目標送信電力を確定することを含み、
前記第１チャネルの目標送信電力が前記第１チャネルの現在送信電力の以下であり、前記第１チャネルの目標送信電力が、前記第１チャネルを伝送するための送信電力である
ことを特徴とする請求項１〜４のいずれか１項に記載の伝送方法。
【請求項６】
前記第１チャネルがアップリンクチャネルである場合、前記第１チャネルの伝送方式が前記第１チャネルの送信電力を含み、
前記端末デバイスが前記第１チャネルのチャネル優先度に応じて前記第１チャネルの伝送方式を確定することは、
前記端末デバイスが前記第１チャネルのチャネル優先度に応じて、前記第１チャネルの最大許可送信電力又は電力上昇値を確定することと、
前記端末デバイスが前記第１チャネルの最大許可送信電力又は電力上昇値に応じて、前記第１チャネルの送信電力を確定することとを含む
ことを特徴とする請求項１〜４のいずれか１項に記載の伝送方法。
【請求項７】
前記端末デバイスが前記第１チャネルのチャネル優先度に応じて前記第１チャネルの伝送方式を確定することは、
前記第１チャネルがアップリンクチャネルであり、且つ、前記第１チャネルの物理リソースが前記端末デバイスの第３チャネル的物理リソースと競合する場合、前記第１チャネルのチャネル優先度に応じて、前記物理リソースにおいて前記第１チャネルを伝送するかどうかを確定することを含む
ことを特徴とする請求項１〜６のいずれか１項に記載の伝送方法。
【請求項８】
前記端末デバイスが前記第１チャネルのチャネル優先度に応じて前記第１チャネルの伝送方式を確定することは、
前記第１チャネルがデータチャネルである場合、前記端末デバイスが前記第１チャネルのチャネル優先度に応じて、前記第１チャネルの伝送をスケジューリングするためのＤＣＩに含まれるＭＣＳ指示情報が示す変調符号化方式を確定することを含む
ことを特徴とする請求項１〜７のいずれか１項に記載の伝送方法。
【請求項９】
前記第１チャネルがダウンリンクデータチャネルである場合、前記方法は、さらに、
前記端末デバイスが前記第１チャネルのチャネル優先度に応じて、前記第１チャネルのＡＣＫ／ＮＡＣＫ応答の伝送優先度及び伝送方式のうちの少なくとも１つを確定することを含む
ことを特徴とする請求項１〜８のいずれか１項に記載の伝送方法。
【請求項１０】
前記端末デバイスが前記第１チャネルのチャネル優先度に応じて前記第１チャネルの伝送方式を確定する前に、前記方法は、さらに、
前記端末デバイスがネットワークデバイスにより送信された無線リソース制御ＲＲＣシグナリングを受信することを含み、
前記ＲＲＣシグナリングは、少なくとも１つの予め設定されたチャネル優先度と伝送方式との対応関係を示すために用いられ、
前記端末デバイスが前記第１チャネルのチャネル優先度に応じて前記第１チャネルの伝送方式を確定することは、
前記端末デバイスが前記対応関係及び前記第１チャネルのチャネル優先度に応じて、前記第１チャネルの伝送方式を確定することを含む
ことを特徴とする請求項１〜９のいずれか１項に記載の伝送方法。
【請求項１１】
ネットワークデバイスが、第１チャネルに搬送される情報のサービスタイプ及び／又は伝送性能要求に応じて、前記第１チャネルのチャネル優先度を確定することと、
前記ネットワークデバイスが端末デバイスに指示情報を送信することとを含み、
前記指示情報は、前記第１チャネルのチャネル優先度を示すために用いられる
ことを特徴とする伝送方法。
【請求項１２】
前記第１チャネルがデータチャネルであり、
前記ネットワークデバイスが端末デバイスに指示情報を送信することは、
前記ネットワークデバイスが端末デバイスにダウンリンク制御情報ＤＣＩを送信することを含み、
前記ＤＣＩは、前記第１チャネルの伝送をスケジューリングするために用いられる
ことを特徴とする請求項１１に記載の伝送方法。
【請求項１３】
前記ＤＣＩは、前記第１チャネルのチャネル優先度を示すための優先度指示情報を含む
ことを特徴とする請求項１２に記載の伝送方法。
【請求項１４】
前記ネットワークデバイスが端末デバイスにＤＣＩを送信する前に、前記方法は、さらに、
前記ネットワークデバイスが前記第１チャネルのチャネル優先度に対応するＤＣＩフォーマットを確定することを含み、
前記ネットワークデバイスが端末デバイスにＤＣＩを送信することは、
前記ネットワークデバイスが前記対応するＤＣＩフォーマットを使用して端末デバイスに前記ＤＣＩを送信することを含む
ことを特徴とする請求項１２に記載の伝送方法。
【請求項１５】
前記ネットワークデバイスが端末デバイスにＤＣＩを送信する前に、前記方法は、さらに、
前記ネットワークデバイスが前記第１チャネルのチャネル優先度に対応するスクランブリングシーケンスを確定することと、
前記ネットワークデバイスが前記対応するスクランブリングシーケンスを使用して前記ＤＣＩの巡回冗長検査ＣＲＣコードに対しスクランブル処理を行うことを含む
ことを特徴とする請求項１２に記載の伝送方法。
【請求項１６】
前記ネットワークデバイスが端末デバイスにＤＣＩを送信する前に、前記方法は、さらに、
前記ネットワークデバイスが前記第１チャネルのチャネル優先度に対応する制御チャネルリソースを確定することを含み、
前記ネットワークデバイスが端末デバイスにＤＣＩを送信することは、
前記ネットワークデバイスが前記対応する制御チャネルリソースにおいて端末デバイスに前記ＤＣＩを送信することを含む
ことを特徴とする請求項１２に記載の伝送方法。
【請求項１７】
前記ネットワークデバイスが端末デバイスにＤＣＩを送信する前に、前記方法は、さらに、
前記ネットワークデバイスが前記第１チャネルのチャネル優先度に対応する伝送タイミングを確定することを含み
前記第１チャネルに対応する伝送タイミングは、前記ＤＣＩと前記第１チャネルとの間の時間間隔及び／又は前記第１チャネルと前記第１チャネルに対応する確認／否認ＡＣＫ／ＮＡＣＫ応答との間のハイブリッド自動再送要求ＨＡＲＱ時系列を含み、
前記ＤＣＩは、前記伝送タイミングを示すための伝送タイミング指示情報を含む
ことを特徴とする請求項１２に記載の伝送方法。
【請求項１８】
前記ネットワークデバイスが端末デバイスにＤＣＩを送信する前に、前記方法は、さらに、
前記ネットワークデバイスが前記第１チャネルのチャネル優先度に対応する伝送時間長を確定することを含み、
前記ＤＣＩは、前記伝送時間長を示すための伝送時間長指示情報を含む
ことを特徴とする請求項１２に記載の伝送方法。
【請求項１９】
前記ネットワークデバイスが前記第１チャネルのチャネル優先度に応じて、前記第１チャネルの伝送方式を確定することと、
前記ネットワークデバイスが確定された前記伝送方式を利用して、前記第１チャネルの伝送を行うこととをさらに含む
ことを特徴とする請求項１１〜１８のいずれか１項に記載の伝送方法。
【請求項２０】
前記第１チャネルの伝送方式は、
前記第１チャネルのチャネル符号化方式、前記第１チャネルの伝送時間長、前記第１チャネルの多元方式、前記第１チャネルの変調符号化方式ＭＣＳ、前記第１チャネルの再送方式、前記第１チャネルの送信電力、前記第１チャネルの復調参照信号パターン、前記第１チャネルのプリコーディング方式、前記第１チャネルの仮想多重化方式、前記第１チャネルのリソース競合処理方式、前記第１チャネルの伝送周期、前記第１チャネルでの復号失敗時の情報記憶方式、前記第１チャネル内のアップリンク制御情報の伝送フォーマット、前記第１チャネルに対応する伝送タイミング 、前記第１チャネルのサイクリックプレフィックスＣＰタイプのうちの少なくとも１つを含む
ことを特徴とする請求項１９に記載の伝送方法。
【請求項２１】
第１チャネルのチャネル優先度を確定し、前記第１チャネルのチャネル優先度に応じて前記第１チャネルの伝送方式を確定するように構成される確定ユニットと、
前記確定ユニットにより確定された前記伝送方式を利用して、前記第１チャネルの伝送を行うように構成される送受信ユニットとを含む
ことを特徴とする伝送装置。
【請求項２２】
前記第１チャネルがデータチャネルであり、
前記確定ユニットは、具体的に、ネットワークデバイスにより送信されたダウンリンク制御情報ＤＣＩに応じて、前記第１チャネルのチャネル優先度を確定するように構成され、
前記ＤＣＩは、前記第１チャネルの伝送をスケジューリングするために用いられる
ことを特徴とする請求項２１に記載の伝送装置。
【請求項２３】
前記確定ユニットは、具体的に、
前記ＤＣＩに含まれる、前記第１チャネルのチャネル優先度を示すための優先度指示情報に応じて、前記第１チャネルのチャネル優先度を確定し、又は、
前記ＤＣＩのＤＣＩフォーマットに応じて、前記第１チャネルのチャネル優先度を確定し、又は、
前記ＤＣＩの巡回冗長検査ＣＲＣコードのスクランブリングシーケンスに応じて、前記第１チャネルのチャネル優先度を確定し、又は、
前記ＤＣＩの占用する制御チャネルリソースに応じて、前記第１チャネルのチャネル優先度を確定し、又は、
前記ＤＣＩに含まれる伝送タイミング指示情報に応じて、前記第１チャネルのチャネル優先度を確定し、又は、
前記ＤＣＩに含まれる伝送時間長指示情報に応じて、前記第１チャネルのチャネル優先度を確定するように構成され、
前記伝送タイミング情報は、前記ＤＣＩと前記第１チャネルとの間の時間間隔及び／又は前記第１チャネルと前記第１チャネルに対応する確認／否認ＡＣＫ／ＮＡＣＫ応答との間のハイブリッド自動再送要求ＨＡＲＱ時系列を示すために用いられ、
前記伝送時間長指示情報は、前記第１チャネルの占用する時間領域リソースの長さを示すために用いられる
ことを特徴とする請求項２２に記載の伝送装置。
【請求項２４】
前記第１チャネルの伝送方式は、
前記第１チャネルのチャネル符号化方式、前記第１チャネルの伝送時間長、前記第１チャネルの多元方式、前記第１チャネルの変調符号化方式ＭＣＳ、前記第１チャネルの再送方式、前記第１チャネルの送信電力、前記第１チャネルの復調参照信号パターン、前記第１チャネルのプリコーディング方式、前記第１チャネルの仮想多重化方式、前記第１チャネルのリソース競合処理方式、前記第１チャネルの伝送周期、前記第１チャネルでの復号失敗時の情報記憶方式、前記第１チャネル内のアップリンク制御情報の伝送フォーマット、前記第１チャネルの伝送タイミング 、前記第１チャネルのサイクリックプレフィックスＣＰタイプのうちの少なくとも１つを含む
ことを特徴とする請求項２１〜２３のいずれか１項に記載の伝送装置。
【請求項２５】
前記第１チャネルがアップリンクチャネルである場合、前記第１チャネルの伝送方式が前記第１チャネルの送信電力を含み、
前記確定ユニットは、具体的に、前記伝送装置が前記第１チャネルを送信する同時にネットワークデバイスに第２チャネルを送信する必要があり、且つ前記第１チャネルと前記第２チャネルの現在送信電力との和が前記伝送装置の最大送信電力より大きい場合、前記第１チャネルのチャネル優先度に応じて、前記第１チャネルの目標送信電力を確定するように構成され、
前記第１チャネルの目標送信電力が前記第１チャネルの現在送信電力の以下であり、前記第１チャネルの目標送信電力が、前記第１チャネルを伝送するための送信電力である
ことを特徴とする請求項２１〜２４のいずれか１項に記載の伝送装置。
【請求項２６】
前記第１チャネルがアップリンクチャネルである場合、前記第１チャネルの伝送方式が前記第１チャネルの送信電力を含み、
前記確定ユニットは、具体的に、
前記第１チャネルのチャネル優先度に応じて、前記第１チャネルの最大許可送信電力又は電力上昇値を確定し、
前記第１チャネルの最大許可送信電力又は電力上昇値に応じて、前記第１チャネルの送信電力を確定するように構成される
ことを特徴とする請求項２１〜２４のいずれか１項に記載の伝送装置。
【請求項２７】
前記確定ユニットは、具体的に、前記第１チャネルがアップリンクチャネルであり、且つ、前記第１チャネルの物理リソースが前記伝送装置の第３チャネルの物理リソースと競合する場合、前記第１チャネルのチャネル優先度に応じて、前記物理リソースにおいて前記第１チャネルを伝送するかどうかを確定するように構成される
ことを特徴とする請求項２１〜２６のいずれか１項に記載の伝送装置。
【請求項２８】
前記確定ユニットは、具体的に、
前記第１チャネルがデータチャネルである場合、前記第１チャネルのチャネル優先度に応じて、前記第１チャネルの伝送をスケジューリングするためのＤＣＩに含まれるＭＣＳ指示情報が示す変調符号化方式を確定するように構成される
ことを特徴とする請求項２１〜２７のいずれか１項に記載の伝送装置。
【請求項２９】
前記第１チャネルがダウンリンクデータチャネルである場合、
前記確定ユニットは、さらに、前記第１チャネルのチャネル優先度に応じて、前記第１チャネルのＡＣＫ／ＮＡＣＫ応答の伝送優先度及び伝送方式のうちの少なくとも１つを確定するように構成される
ことを特徴とする請求項２１〜２８のいずれか１項に記載の伝送装置。
【請求項３０】
前記送受信ユニットは、さらに、
前記確定ユニットが前記第１チャネルのチャネル優先度に応じて前記第１チャネルの伝送方式を確定する前に、ネットワークデバイスにより送信された無線リソース制御ＲＲＣシグナリングを受信するように構成され、
前記ＲＲＣシグナリングは、少なくとも１つの予め設定されたチャネル優先度と伝送方式との対応関係を示すために用いられ、
前記確定ユニットは、具体的に、前記送受信ユニットに受信された前記ＲＲＣシグナリングに示す前記対応関係及び前記第１チャネルのチャネル優先度に応じて、前記第１チャネルの伝送方式を確定するように構成される
ことを特徴とする請求項２１〜２９のいずれか１項に記載の伝送装置。
【請求項３１】
第１チャネルに搬送される情報のサービスタイプ及び／又は伝送性能要求に応じて、前記第１チャネルのチャネル優先度を確定するように構成される確定ユニットと、
端末デバイスに指示情報を送信するように構成される送受信ユニットとを含み、
前記指示情報は、前記確定ユニットにより確定された前記第１チャネルのチャネル優先度を示すために用いられる
ことを特徴とする伝送装置。
【請求項３２】
前記第１チャネルがデータチャネルであり、
前記送受信ユニットは、具体的に、端末デバイスにダウンリンク制御情報ＤＣＩを送信するように構成され、
前記ＤＣＩは、前記第１チャネルの伝送をスケジューリングするために用いられる
ことを特徴とする請求項３１に記載の伝送装置。
【請求項３３】
前記ＤＣＩは、前記第１チャネルのチャネル優先度を示すための優先度指示情報を含む
ことを特徴とする請求項３２に記載の伝送装置。
【請求項３４】
前記確定ユニットは、さらに、前記送受信ユニットが端末デバイスにＤＣＩを送信する前に、前記第１チャネルのチャネル優先度に対応するＤＣＩフォーマットを確定するように構成され、
前記送受信ユニットは、具体的に、前記確定ユニットにより確定されたＤＣＩフォーマットを利用して端末デバイスに前記ＤＣＩを送信するように構成される
ことを特徴とする請求項３２に記載の伝送装置。
【請求項３５】
前記確定ユニットは、さらに、
前記送受信ユニットが端末デバイスにＤＣＩを送信する前に、前記第１チャネルのチャネル優先度に対応するスクランブリングシーケンスを確定し、
前記対応するスクランブリングシーケンスを利用して、前記ＤＣＩの巡回冗長検査ＣＲＣコードに対しスクランブル処理を行うように構成される
ことを特徴とする請求項３２に記載の伝送装置。
【請求項３６】
前記確定ユニットは、さらに、前記送受信ユニットが端末デバイスにＤＣＩを送信する前に、前記第１チャネルのチャネル優先度に対応する制御チャネルリソースを確定するように構成され、
前記送受信ユニットは、具体的に、前記確定ユニットにより確定された制御チャネルリソースにおいて端末デバイスに前記ＤＣＩを送信するように構成される
ことを特徴とする請求項３２に記載の伝送装置。
【請求項３７】
前記確定ユニットは、さらに、前記送受信ユニットが端末デバイスにＤＣＩを送信する前に、前記第１チャネルのチャネル優先度に対応する伝送タイミングを確定するように構成され、
前記第１チャネルに対応する伝送タイミングは、前記ＤＣＩと前記第１チャネルとの間の時間間隔及び／又は前記第１チャネルと前記第１チャネルに対応する確認／否認ＡＣＫ／ＮＡＣＫ応答との間のハイブリッド自動再送要求ＨＡＲＱ時系列を含み、
前記ＤＣＩは、前記伝送タイミングを示すための伝送タイミング指示情報を含む
ことを特徴とする請求項３２に記載の伝送装置。
【請求項３８】
前記確定ユニットは、さらに、前記送受信ユニットが端末デバイスにＤＣＩを送信する前に、前記第１チャネルのチャネル優先度に対応する伝送時間長を確定するように構成され、
前記ＤＣＩは、前記伝送時間長を示すための伝送時間長指示情報を含む
ことを特徴とする請求項３２に記載の伝送装置。
【請求項３９】
前記確定ユニットは、さらに、前記第１チャネルのチャネル優先度に応じて、前記第１チャネルの伝送方式を確定するように構成され、
前記送受信ユニットは、さらに、確定された前記伝送方式を利用して、前記第１チャネルの伝送を行うように構成される
ことを特徴とする請求項３１〜３８のいずれか１項に記載の伝送装置。
【請求項４０】
前記第１チャネルの伝送方式は、
前記第１チャネルのチャネル符号化方式、前記第１チャネルの伝送時間長、前記第１チャネルの多元方式、前記第１チャネルの変調符号化方式ＭＣＳ、前記第１チャネルの再送方式、前記第１チャネルの送信電力、前記第１チャネルの復調参照信号パターン、前記第１チャネルのプリコーディング方式、前記第１チャネルの仮想多重化方式、前記第１チャネルのリソース競合処理方式、前記第１チャネルの伝送周期、前記第１チャネルでの復号失敗時の情報記憶方式、前記第１チャネル内のアップリンク制御情報の伝送フォーマット、前記第１チャネルに対応する伝送タイミング 、前記第１チャネルのサイクリックプレフィックスＣＰタイプのうちの少なくとも１つを含む
ことを特徴とする請求項３９に記載の伝送装置。
【発明の詳細な説明】
【技術分野】
【０００１】
本発明の実施例は、通信分野に関し、具体的に、伝送方法及び装置に関する。
【背景技術】
【０００２】
無線通信技術の発展に伴い、無線通信システムは、多種のサービスタイプ、例えば、増強モバイルブロードバンド（ｅＭＢＢ：ｅｎｈａｎｃｅｄ  Ｍｏｂｉｌｅ  ＢｒｏａｄＢａｎｄ）サービス、超高信頼低遅延（ＵＲＬＬＣ：Ｓｕｐｅｒ  Ｒｅｌｉａｂｌｅ  Ｌｏｗ  Ｌａｔｅｎｃｙ）サービス、大容量マシンタイプ通信（ｍＭＴＣ：Ｍａｓｓｉｖｅ  Ｍａｃｈｉｎｅ  Ｔｙｐｅ  Ｃｏｍｍｕｎｉｃａｔｉｏｎ）サービス等をサポートする必要がある。異なるサービスタイプの遅延、信頼性、スループットなどに対する要求も異なり、システムリソースが限られる場合、どのように異なるサービスの要求を満たすことは、当技術分野での研究のホットスポットとなる。
【発明の概要】
【０００３】
本発明の実施例は、システムリソースが限られる場合に異なる伝送要求を満たすことができる伝送方法及び伝送装置を提供する。
【０００４】
第１形態は、伝送方法を提供し、端末デバイスが第１チャネルのチャネル優先度を確定することと、当該端末デバイスが当該第１チャネルのチャネル優先度に応じて当該第１チャネルの伝送方式を確定することと、当該端末デバイスが確定された当該伝送方式を利用して当該第１チャネルの伝送を行うこととを含む。
【０００５】
選択可能で、当該第１チャネルは、アップリンクチャネル又はダウンリンクチャネルであってもよい。当該第１チャネルは、データチャネル又は制御チャネルであってもよい。
【０００６】
本発明の実施例における伝送方法によって、ネットワークデバイスが第１チャネルのチャネル優先度を確定し、端末デバイスに当該第１チャネルのチャネル優先度を示すための指示情報を送信し、当該端末デバイスとネットワークデバイスが、当該第１チャネルのチャネル優先度に応じて、当該第１チャネルの伝送方式を確定し、確定された当該伝送方式を利用して当該第１チャネルの伝送を行い、異なる伝送方式を利用して異なるチャネル優先度を有するチャネルを伝送することを容易にすることで、システムリソースが限られる場合に異なるサービスの要求を満たすことができる。
【０００７】
なお、端末デバイスは、現在伝送するチャネルのチャネル優先度を把握して、対応する物理層伝送パラメータで伝送を行うことで、チャネル優先度に対応するサービスの遅延、信頼性、スループット等の要求をできるだけ満たす。
【０００８】
第１形態の第１実現可能な方式において、当該第１チャネルがデータチャネルであり、当該端末デバイスが第１チャネルのチャネル優先度を確定することは、当該端末デバイスがネットワークデバイスにより送信されたＤＣＩに応じて、当該第１チャネルのチャネル優先度を確定し、当該ＤＣＩは、当該第１チャネルの伝送をスケジューリングするために用いられる。
【０００９】
選択可能で、当該端末デバイスは、ネットワークデバイスにより送信されたＲＲＣシグナリングに応じて、当該第１チャネルのチャネル優先度を確定してもよい。
【００１０】
第１形態の上記の実現可能な方式と結合し、第１形態の第２実現可能な方式において、当該端末デバイスがネットワークデバイスにより送信されたＤＣＩに応じて当該第１チャネルのチャネル優先度を確定することは、当該端末デバイスが、当該ＤＣＩに含まれる当該第１チャネルのチャネル優先度を示すための優先度指示情報に応じて、当該第１チャネルのチャネル優先度を確定し、又は、当該端末デバイスが当該ＤＣＩのＤＣＩフォーマットに応じて、当該第１チャネルのチャネル優先度を確定し、又は、当該端末デバイスが当該ＤＣＩのＣＲＣコードのスクランブリングシーケンスに応じて当該第１チャネルのチャネル優先度を確定し、又は、当該端末デバイスが当該ＤＣＩの占用する制御チャネルリソースに応じて、当該第１チャネルのチャネル優先度を確定し、又は、当該端末デバイスが当該ＤＣＩに含まれる伝送タイミング指示情報に応じて、当該第１チャネルのチャネル優先度を確定し、当該伝送タイミング指示情報は、当該ＤＣＩと当該第１チャネルとの間の時間間隔及び／又は当該第１チャネルと当該第１チャネルに対応するＡＣＫ／ＮＡＣＫと応答との間のＨＡＲＱ時系列を示すために用いられ、又は、当該端末デバイスが当該ＤＣＩに含まれる伝送時間長指示情報に応じて、当該第１チャネルのチャネル優先度を確定し、当該伝送時間長指示情報は、当該第１チャネルの占用する時間領域リソースの長さを示すために用いられる。
【００１１】
第１形態の上記の実現可能な方式と結合し、第１形態の第３実現可能な方式において、当該第１チャネルがアップリンクチャネルである場合、当該第１チャネルの伝送方式が当該第１チャネルの送信電力を含み、当該端末デバイスが当該第１チャネルのチャネル優先度に応じて当該第１チャネルの伝送方式を確定することは、当該端末デバイスが当該第１チャネルを送信する同時に、ネットワークデバイスに第２チャネルを送信する必要があり、且つ、当該第１チャネルと当該第２チャネルの現在送信電力との和が当該端末デバイスの最大送信電力より大きい場合、当該端末デバイスが当該第１チャネルのチャネル優先度に応じて、当該第１チャネルの目標送信電力を確定し、当該第１チャネルの目標送信電力が当該第１チャネルの現在送信電力の以下である。
【００１２】
具体的に、当該第１チャネルと当該端末デバイスとが同時に送信する他のチャネルの送信電力との和が当該端末デバイスの最大送信電力より大きい場合、当該端末デバイスが当該第１チャネルのチャネル優先度に応じて、当該第１チャネルの送信電力を下げるかどうかを確定することができる。
【００１３】
第１形態の上記の実現可能な方式と結合し、第１形態の第４実現可能な方式において、当該第１チャネルがアップリンクチャネルである場合、当該第１チャネルの伝送方式が当該第１チャネルの送信電力を含み、当該端末デバイスが当該第１チャネルのチャネル優先度に応じて当該第１チャネルの伝送方式を確定することは、当該端末デバイスが当該第１チャネルのチャネル優先度に応じて、当該第１チャネルの最大許可送信電力又は電力上昇値を確定し、当該端末デバイスが当該第１チャネルの最大許可送信電力又は電力上昇値に応じて、当該第１チャネルの送信電力を確定する。
【００１４】
第１形態の上記の実現可能な方式と結合し、第１形態の第５実現可能な方式において、当該端末デバイスが当該第１チャネルのチャネル優先度に応じて当該第１チャネルの伝送方式を確定することは、当該第１チャネルがアップリンクチャネルであり、且つ、当該第１チャネルの物理リソースが当該端末デバイスの第３チャネルの物理リソースと競合する場合、当該端末デバイスが当該第１チャネルのチャネル優先度に応じて、当該物理リソースにおいて当該第１チャネルを伝送するかどうかを確定する。
【００１５】
選択可能で、当該第１チャネルのチャネル優先度が第３チャネルのチャネル優先度より低くない場合、端末デバイスが競合する物理リソースにおいて当該第１チャネルを優先して伝送することができる。
【００１６】
選択可能で、当該第１チャネルのチャネル優先度が第３チャネルのチャネル優先度より低い場合、当該端末デバイスが競合する物理リソースにおいて当該第１チャネルに搬送される情報を廃棄し、又は、当該第１チャネルに対しレートマッチングを行うことができる。
【００１７】
第１形態の上記の実現可能な方式と結合し、第１形態の第６実現可能な方式において、当該端末デバイスが当該第１チャネルのチャネル優先度に応じて当該第１チャネルの伝送方式を確定することは、当該第１チャネルがデータチャネルである場合、当該端末デバイスが当該第１チャネルのチャネル優先度に応じて、当該第１チャネルの伝送をスケジューリングするためのＤＣＩに含まれるＭＣＳ指示情報が示す当該変調符号化方式を確定する。
【００１８】
第１形態の上記の実現可能な方式と結合し、第１形態の第７実現可能な方式において、当該第１チャネルがダウンリンクデータチャネルである場合、当該方法は、さらに、当該端末デバイスが当該第１チャネルのチャネル優先度に応じて、当該第１チャネルのＡＣＫ／ＮＡＣＫ応答の伝送優先度及び伝送方式のうちの少なくとも１つを確定する。
【００１９】
第１形態の上記の実現可能な方式と結合し、第１形態の第８実現可能な方式において、当該端末デバイスが当該第１チャネルのチャネル優先度に応じて当該第１チャネルの伝送方式を確定する前に、当該方法は、さらに、当該端末デバイスがネットワークデバイスにより送信されたＲＲＣシグナリングを受信することを含み、当該ＲＲＣシグナリングは、少なくとも１つ予め設定されたチャネル優先度と伝送方式との間の対応関係を示すために用いられ、当該端末デバイスが当該第１チャネルのチャネル優先度に応じて当該第１チャネルの伝送方式を確定することは、当該端末デバイスが当該対応関係及び当該第１チャネルのチャネル優先度に応じて、当該第１チャネルの伝送方式を確定することを含む。
【００２０】
第２形態は、伝送方法を提供し、ネットワークデバイスが第１チャネルのサービスタイプ及び／又は伝送性能要求に基づいて、当該第１チャネルのチャネル優先度を確定することと、当該ネットワークデバイスが端末デバイスに指示情報を送信することとを含み、当該指示情報は、当該第１チャネルのチャネル優先度を示すために用いられる。
【００２１】
選択可能で、当該ネットワークデバイスが端末デバイスにＲＲＣシグナリングを送信し、当該ＲＲＣシグナリングに当該指示情報が含まれる。
【００２２】
第２形態の第１実現可能な方式において、当該第１チャネルがデータチャネルであり、当該ネットワークデバイスが端末デバイスに指示情報を送信することは、当該ネットワークデバイスが端末デバイスにダウンリンク制御情報ＤＣＩを送信することを含み、当該ＤＣＩは、当該第１チャネルの伝送をスケジューリングするために用いられる。
【００２３】
第２形態の上記の実現可能な方式と結合し、第２形態の第２実現可能な方式において、当該ＤＣＩは、当該第１チャネルのチャネル優先度を示すための優先度指示情報を含む。
【００２４】
この時、選択可能で、ＤＣＩにおいて優先度指示情報を搬送するための少なくとも１つビットを追加しても良い。又は、ＤＣＩ内の既存のヒットに当該優先度指示情報を搬送する。
【００２５】
第２形態の上記の実現可能な方式と結合し、第２形態の第３実現可能な方式において、当該ネットワークデバイスが端末デバイスにＤＣＩを送信する前に、当該方法は、さらに、当該ネットワークデバイスが当該第１チャネルのチャネル優先度に対応するＤＣＩフォーマットを確定することを含み、当該ネットワークデバイスが端末デバイスにＤＣＩを送信することは、当該ネットワークデバイスが当該に対応するＤＣＩフォーマットを利用して端末デバイスに当該ＤＣＩを送信することを含む。
【００２６】
選択可能で、ＤＣＩフォーマットにより、ＤＣＩがスケジューリングする第１チャネルのチャネル優先度を示す。
【００２７】
第２形態の上記の実現可能な方式と結合し、第２形態の第４実現可能な方式において、当該ネットワークデバイスが端末デバイスにＤＣＩを送信する前に、当該方法は、さらに、当該ネットワークデバイスが当該第１チャネルのチャネル優先度に対応するスクランブリングシーケンスを確定し、当該ネットワークデバイスが当該に対応するスクランブリングシーケンスを利用して当該ＤＣＩのＣＲＣに対しスクランブル処理を行うことを含む。
【００２８】
選択可能で、ＤＣＩのＣＲＣのスクランブリングシーケンスによりＤＣＩがスケジューリングする第１チャネルのチャネル優先度を示す。
【００２９】
第２形態の上記の実現可能な方式と結合し、第２形態の第５実現可能な方式において、当該ネットワークデバイスが端末デバイスにＤＣＩを送信する前に、当該方法は、さらに、当該ネットワークデバイスが当該第１チャネルのチャネル優先度に対応する制御チャネルリソースを確定することを含み、当該ネットワークデバイスが端末デバイスにＤＣＩを送信することは、当該ネットワークデバイスが当該に対応する制御チャネルリソースにおいて端末デバイスに当該ＤＣＩを送信することを含む。
【００３０】
選択可能で、ＤＣＩの占用する制御チャネルリソースにより、当該ＤＣＩがスケジューリングする第１チャネルのチャネル優先度を示す。
【００３１】
第２形態の上記の実現可能な方式と結合し、第２形態の第６実現可能な方式において、当該ネットワークデバイスが端末デバイスにＤＣＩを送信する前に、当該方法は、さらに、当該ネットワークデバイスが当該第１チャネルのチャネル優先度に対応する伝送タイミングを確定することを含み、当該第１チャネルに対応する伝送タイミングは、当該ＤＣＩと当該第１チャネルとの間の時間間隔及び／又は当該第１チャネルと当該第１チャネルに対応するＡＣＫ／ＮＡＣＫと応答との間のＨＡＲＱ時系列を含み、当該ＤＣＩは、当該伝送タイミングを示すための伝送タイミング指示情報を含む。
【００３２】
第２形態の上記の実現可能な方式と結合し、第２形態の第７実現可能な方式において、当該ネットワークデバイスが端末デバイスにＤＣＩを送信する前に、当該方法は、さらに、当該ネットワークデバイスが当該第１チャネルのチャネル優先度に対応する伝送時間長を確定することを含み、当該ＤＣＩは、当該伝送時間長を示すための伝送時間長指示情報を含む。
【００３３】
第２形態の上記の実現可能な方式と結合し、第２形態の第８実現可能な方式において、当該方法は、さらに、当該ネットワークデバイスが当該第１チャネルのチャネル優先度に応じて、当該第１チャネルの伝送方式を確定することと、当該ネットワークデバイスが確定された当該伝送方式を利用して当該第１チャネルの伝送を行うこととを含む。
【００３４】
本発明のある形態において、選択可能で、当該第１チャネルの伝送方式は、当該第１チャネルのチャネル符号化方式、当該第１チャネルの伝送時間長、当該第１チャネルの多元方式、当該第１チャネルのＭＣＳ、当該第１チャネルの再送方式、当該第１チャネルの送信電力、当該第１チャネルの復調参照信号パターン、当該第１チャネルのプリコーディング方式、当該第１チャネルの仮想多重化方式、当該第１チャネルのリソース競合処理方式、当該第１チャネルの伝送周期、当該第１チャネルでの復号失敗時の情報記憶方式、当該第１チャネル内のアップリンク制御情報の伝送フォーマット、当該第１チャネルに対応する伝送タイミング 、当該第１チャネルのＣＰタイプのうちの少なくとも１つを含む。
【００３５】
第３形態は、上記の第１形態又は第１形態のいかなる実現可能な形態の方法を実行するように構成される伝送装置を提供する。具体的に、当該伝送装置は、上記の第１形態又は第１形態のいかなる実現可能な形態の方法を実行するように構成されるユニットを含む。
【００３６】
第４形態は、上記の第２形態又は第２形態のいかなる実現可能な形態の方法を実行するように構成される伝送装置を提供する。具体的に、当該伝送装置は、上記の第２形態又は第２形態のいかなる実現可能な形態の方法を実行するように構成されるユニットを含む。
【００３７】
第５形態は、記憶ユニット及びプロセッサを備える伝送装置を提供し、当該記憶ユニットが命令を記憶し、当該プロセッサが当該メモリに記憶された命令を実行し、当該プロセッサが当該メモリに記憶された命令を実行する場合、当該プロセッサが第１形態又は第１形態のいかなる実現可能な形態の方法を実行する。
【００３８】
第６形態は、記憶ユニット及びプロセッサを備える伝送装置を提供し、当該記憶ユニットが命令を記憶し、当該プロセッサが当該メモリに記憶された命令を実行し、当該プロセッサが当該メモリに記憶された命令を実行する場合、当該プロセッサが第２形態又は第２形態のいかなる実現可能な形態の方法を実行する。
【００３９】
第７形態は、コンピュータ可読記憶媒体を提供し、前記コンピュータ可読記憶媒体にはプログラムが記憶され、前記プログラムには第１形態又は第１形態のいかなる実現可能な形態の方法を実現するための命令が含まれる。
【００４０】
第８形態は、コンピュータ可読記憶媒体を提供し、前記コンピュータ可読記憶媒体にはプログラムが記憶され、前記プログラムには第２形態又は第２形態のいかなる実現可能な形態の方法を実現するための命令が含まれる。
【図面の簡単な説明】
【００４１】
【図１】本発明の実施例における無線通信システムの構成図である。
【図２】本発明の実施例における伝送方法のフローチャートである。
【図３】本発明の実施例における伝送装置のブロック図である。
【図４】本発明の実施例における他の伝送装置のブロック図である。
【図５】本発明の実施例における他の伝送装置のブロック図である。
【図６】本発明の実施例における他の伝送装置のブロック図である。
【発明を実施するための形態】
【００４２】
以下、本発明の実施例の図面を基づいて、本発明の実施例に係る技術案を説明する。
【００４３】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、アドバンスト長期進化型（ＬＴＥ−Ａ：Ａｄｖａｎｃｅｄ  ｌｏｎｇ  ｔｅｒｍ  ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ Ａｃｃｅｓｓ）通信システム、５Ｇシステムに応用されることができる。
【００４４】
図１は本発明の実施例に応用される無線通信システム１００を示す。当該無線通信システム１００は、少なくとも１つのネットワークデバイス１１０を含む。ネットワークデバイス１１０は、端末デバイスに接続する通信デバイスであっても良い。各ネットワークデバイス１００は、特定の地理エリアに通信カバーを提供し、さらに、当該カバーエリア内にある端末デバイス（例えばＵＥ）と通信することができる。当該ネットワークデバイス１００は、ＧＳＭシステム又はＣＤＭＡシステムの基地局（ＢＴＳ：Ｂａｓｅ  Ｔｒａｎｓｃｅｉｖｅｒ  Ｓｔａｔｉｏｎ）、ＷＣＤＭＡシステムの基地局（ＮｏｄｅＢ）、ＬＴＥシステムの基地局（Ｅｖｏｌｕｔｉｏｎａｌ  Ｎｏｄｅ  Ｂ、ｅＮＢ又はｅＮｏｄｅＢ）、クラウド無線アクセスネットワーク（ＣＲＡＮ：Ｃｌｏｕｄ  Ｒａｄｉｏ  Ａｃｃｅｓｓ  Ｎｅｔｗｏｒｋ）の無線コントローラ、中継局、アクセスポイント、車載デバイス、ウェアラブルデバイス及び将来の５Ｇネットワークにおけるネットワーク側デバイス、又は将来進化型公衆移動通信網ＰＬＭＮおけるネットワークデバイスなどであっても良い。
【００４５】
当該無線通信システム１００は、さらに、ネットワークデバイス１１０のカバー範囲にある複数の端末デバイス１２０を含む。当該端末デバイス１２０は、移動又は固定されたものである。当該端末デバイス１２０は、アクセス端末、ユーザー装置（ＵＥ：Ｕｓｅｒ  Ｅｑｕｉｐｍｅｎｔ）、ユーザユニット、ユーザステーション、移動ステーション、移動局、遠隔局、遠隔端末、移動デバイス、ユーザ端末、端末、無線通信デバイス、ユーザエージェント又はユーザ装置と指しても良い。アクセス端末はセルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス、又は将来進化型公衆移動通信網（ＰＬＭＮ：Ｐｕｂｌｉｃ  Ｌａｎｄ  Ｍｏｂｉｌｅ  Ｎｅｔｗｏｒｋ）おける端末デバイスなどであっても良い。
【００４６】
図１は、１つのネットワークデバイス及び２つの端末デバイスを示し、選択可能で、当該無線通信システム１００は、複数のネットワークデバイスを含み、各ネットワークデバイスのカバー範囲に他の数の端末デバイスがあってもよく、本発明の実施例はこれを限定しない。
【００４７】
選択可能で、当該無線通信システム１００は、さらに、ネットワークコントローラ、モビリティマネッジメントエンティティ等の他のネットワークエンティティを含んでもよいが、本発明の実施例はこれに限定しない。
【００４８】
図２は本発明の実施例における伝送方法２００を示す。当該伝送方法２００は、図１に示す無線通信システム１００に応用されるが、本発明の実施例はこれに限定しない。
【００４９】
Ｓ２１０において、ネットワークデバイスが第１チャネルのチャネル優先度を確定する。
【００５０】
本発明の実施例において、少なくとも２つのチャネル優先度、例えばチャネル優先度０及び１を区分し、異なるチャネル優先度が異なる伝送方式に対応する。チャネルの伝送を行う場合、当該少なくとも２つのチャネル優先度から当該チャネルのチャネル優先度を確定し、確定された当該チャネル優先度に対応する伝送方式を利用して当該チャネルの伝送を行うことで、異なるチャネルの要求を満たすとともに、システムリソースの利用率等の機能を最適化する。
【００５１】
選択可能で、チャネル優先度の区分及び／又はチャネル優先度と伝送方式との間の対応関係がプロトコルに規定されても良いし、ネットワークデバイスに構成されても良く、本発明の実施例はこれを限定しない。
【００５２】
本発明の実施例において、当該第１チャネルは、アップリンクチャネル又はダウンリンクチャネルである。当該第１チャネルは、データチャネル又は制御チャネルであってもよい。例えば、当該第１チャネルは、アップリンク制御情報（ＵＣＩ：Ｕｐｌｉｎｋ  Ｃｏｎｔｒｏｌ  Ｉｎｆｏｒｍａｔｉｏｎ）が搬送されるアップリンクデータチャネルであるが、本発明の実施例はこれに限定しない。
【００５３】
ネットワークデバイスは、多種の方式により当該第１チャネルのチャネル優先度を確定することができる。選択可能な実施例として、当該ネットワークデバイスは、当該第１チャネルに搬送される情報のサービスタイプ及び／又は当該情報の伝送性能要求に応じて、当該第１チャネルのチャネル優先度を確定し、ここで、選択可能で、当該伝送性能要求は、サービス品質要求（ＱｏＳ：Ｑｕａｌｉｔｙ  ｏｆ  Ｓｅｒｖｉｃｅ）を含むが、本発明の実施例は、当該ネットワークデバイスが当該第１チャネルのチャネル優先度を確定する方式を限定しない。
【００５４】
なお、ここの情報は、データであっても良いし、信号であっても良く、当該情報の意味を明確に指定する場合の以外に、情報の意味を限定しない。
【００５５】
Ｓ２２０において、ネットワークデバイスが端末デバイスに指示情報を送信し、当該指示情報は、当該第１チャネルのチャネル優先度を示すために用いられる。
【００５６】
選択可能な実施例として、当該ネットワークデバイスは、端末デバイスに上位シグナリングを送信して、当該第１チャネルのチャネル優先度を通知することができる。例えば、当該ネットワークデバイスは、端末デバイスに無線リソース制御（ＲＲＣ：Ｒａｄｉｏ  Ｒｅｓｏｕｒｃｅ  Ｃｏｎｔｒｏｌ）シグナリングを送信し、当該ＲＲＣシグナリングは、当該第１チャネルのチャネル優先度を示すために用いられる。選択可能で、当該第１チャネルが制御チャネルである場合、当該ネットワークデバイスは、当該第１チャネルのリソース構成情報が含まれるＲＲＣシグナリングによって、当該第１チャネルのチャネル優先度を示し、シグナリングオーバーヘッドを節約するが、本発明の実施例はこれに限定しない。
【００５７】
他の選択可能な実施例として、当該第１チャネルがデータチャネルである場合、当該ネットワークデバイスは、端末デバイスに当該第１チャネルの伝送をスケジューリングするためのダウンリンク制御情報（ＤＣＩ：Ｄｏｗｎｌｉｎｋ  Ｃｏｎｔｒｏｌ  Ｉｎｆｏｒｍａｔｉｏｎ）を送信して、当該第１チャネルのチャネル優先度を通知する。ここで、当該第１チャネルがアップリンクデータチャネルである場合、当該ＤＣＩがアップリンク許可（Ｕｐｌｉｎｋ  Ｇｒａｎｔ）であるが、本発明の実施例はこれに限定しない。
【００５８】
選択可能で、当該ネットワークデバイスは、他の方式で端末デバイス当該第１チャネルのチャネル優先度を通知しても良いが、本発明の実施例はこれを限定しない。
【００５９】
Ｓ２３０において、端末デバイスは、ネットワークデバイスにより送信された指示情報を受信し、当該指示情報に応じて当該第１チャネルのチャネル優先度を確定する。
【００６０】
本発明の実施例において、当該ネットワークデバイスは、ＤＣＩにより当該第１チャネルのチャネル優先度を明示又は暗示に示すことができる。
【００６１】
選択可能な実施例として、当該ＤＣＩは、当該第１チャネルのチャネル優先度を示すための優先度指示情報を含む。例えば、２つのチャネル優先度を区別し、この時、当該ＤＣＩに１ビットの優先度指示情報が含まれ、又は、４つのチャネル優先度を区別し、この時、当該ＤＣＩに２ビットの優先度指示情報が含まれるが、本発明の実施例はこれに限定しない。
【００６２】
他の選択可能な実施例として、異なるＤＣＩフォーマットを利用して異なるチャネル優先度を暗示に示す。この時、当該ネットワークデバイスは、チャネル優先度とＤＣＩフォーマットとの間の対応関係に応じて、当該第１チャネルのチャネル優先度に対応するＤＣＩフォーマットを確定し、端末デバイスに当該に対応するＤＣＩフォーマットを有するＤＣＩを送信する。
【００６３】
選択可能で、本発明の実施例において、チャネル優先度とＤＣＩフォーマットとが一対一に対応し、又は、１つのチャネル優先度が少なくとも２つのＤＣＩフォーマットからなるＤＣＩフォーマットセットに対応し、この時、当該ネットワークデバイスは、当該第１チャネルのチャネル優先度に対応するＤＣＩフォーマットセットから、当該第１チャネルの伝送をスケジューリングするためのＤＣＩに使用する目標ＤＣＩフォーマットを確定することができるが、本発明の実施例はこれを限定しない。
【００６４】
この時、当該端末デバイスは、異なるＤＣＩフォーマットを盲目検出して、ネットワークデバイスの現在使用するＤＣＩフォーマットを取得し、さらに、当該現在使用するＤＣＩフォーマット及びＤＣＩフォーマットとチャネル優先度との間の対応関係に応じて、受信されたＤＣＩがスケジューリングする第１チャネルのチャネル優先度を確定するが、本発明の実施例はこれに限定しない。
【００６５】
選択可能で、チャネル優先度とＤＣＩフォーマットとの間の対応関係は、プロトコルに定義される。又は、チャネル優先度とＤＣＩフォーマットとの間の対応関係は、ネットワークデバイスにより予め構成され、この時、選択可能で、当該ネットワークデバイスは、さらに、当該端末デバイスに当該対応関係を示すための指示情報を送信するが、本発明の実施例はこれに限定しない。
【００６６】
他の選択可能な実施例として、異なる巡回冗長検査（ＣＲＣ：Ｃｙｃｌｉｃ  Ｒｅｄｕｎｄａｎｃｙ  Ｃｈｅｃｋ）スクランブリングシーケンスを利用して、異なるチャネル優先度を暗示に示す。この時、ネットワークデバイスは、チャネル優先度とＣＲＣスクランブリングシーケンスとの間の対応関係に応じて、当該第１チャネルのチャネル優先度に対応するＣＲＣスクランブリングシーケンスを確定し、さらに、当該に対応するＣＲＣスクランブリングシーケンスを利用して、端末デバイスに送信するＤＣＩのＣＲＣに対しスクランブル処理を行う。
【００６７】
選択可能で、本発明の実施例において、チャネル優先度とＣＲＣスクランブリングシーケンスとが一対一に対応し、又は、１つのチャネル優先度が少なくとも２つのＣＲＣスクランブリングシーケンスからなるＣＲＣスクランブリングシーケンスセットに対応し、この時、当該ネットワークデバイスは、当該第１チャネルのチャネル優先度に対応するＣＲＣスクランブリングシーケンスセットから、当該第１チャネルの伝送をスケジューリングするためのＤＣＩが使用する目標ＣＲＣスクランブリングシーケンスを確定するが、本発明の実施例はこれを限定しない。
【００６８】
この時、端末デバイスは、ネットワークデバイスにより送信されたＤＣＩを受信した後、当該ＤＣＩのＣＲＣスクランブリングシーケンス及びＣＲＣスクランブリングシーケンスとチャネル優先度との間の対応関係に応じて、当該ＤＣＩがスケジューリングする第１チャネルのチャネル優先度を確定するが、本発明の実施例はこれに限定しない。
【００６９】
選択可能で、チャネル優先度とＣＲＣスクランブリングシーケンスとの間の対応関係は、プロトコルに定義される。又は、チャネル優先度とＣＲＣスクランブリングシーケンスとの間の対応関係は、ネットワークデバイスにより予め構成され、この時、選択可能で、当該ネットワークデバイスは、当該端末デバイスに当該対応関係を示すための指示情報を送信するが、本発明の実施例はこれに限定しない。
【００７０】
他の選択可能な実施例として、異なる制御チャネルリソースにおいてＤＣＩを送信して異なるチャネル優先度を指示し、ここで、ここの制御チャネルリソースは、論理リソース例えば制御チャネル要素（ＣＣＥ：Ｃｏｎｔｒｏｌ  Ｃｈａｎｎｅｌ  Ｅｌｅｍｅｎｔ）、制御チャネルサーチスペース、物理リソース、例えば制御チャネルの占用するサブバンド、物理リソースブロック（ＰＲＢ：Ｐｈｙｓｉｃａｌ  Ｒｅｓｏｕｒｃｅ  Ｂｌｏｃｋ）等であっても良いが、本発明の実施例はこれを限定しない。
【００７１】
具体的に、異なるチャネル優先度が異なる制御チャネルリソースセットに対応する。この時、当該ネットワークデバイスは、制御チャネルリソースセットとチャネル優先度との間の対応関係に応じて、当該第１チャネルのチャネル優先度に対応する制御チャネルリソースセットを確定し、当該に対応する制御チャネルリソースセットから、伝送当該第１チャネルの伝送をスケジューリングするためのＤＣＩの目標制御チャネルリソースを確定し、当該目標制御チャネルリソースにおいて当該端末デバイスに当該ＤＣＩを送信するが、本発明の実施例はこれに限定しない。
【００７２】
この時、端末デバイスが異なる制御チャネルリソースにおいて盲目に検出し、さらに、ネットワークデバイスからのＤＣＩを検出した場合、検出されたＤＣＩの占用する制御チャネルリソースに応じて、当該ＤＣＩがスケジューリングする第１チャネルのチャネル優先度を確定するが、本発明の実施例はこれに限定しない。
【００７３】
選択可能で、チャネル優先度と制御チャネルリソースセットとの間の対応関係は、プロトコルに定義される。又は、チャネル優先度と制御チャネルリソースセットとの間の対応関係は、ネットワークデバイスにより予め構成され、この時、選択可能で、当該ネットワークデバイスは、さらに、当該端末デバイスに当該対応関係を示すための指示情報を送信するが、本発明の実施例はこれに限定しない。
【００７４】
他の選択可能な実施例として、異なるチャネル優先度に異なる伝送時間範囲を構成され、例えば、優先度の高いチャネルの伝送が多くの時間領域リソースを占用するが、本発明の実施例はこれに限定しない。この時、ネットワークデバイスは、チャネル優先度と伝送時間範囲との間の対応関係に応じて、当該第１チャネルのチャネル優先度に対応する伝送時間範囲を確定し、当該伝送時間範囲から、当該第１チャネルの目標伝送時間を確定する。そして、当該ネットワークデバイスは、端末デバイスに伝送時間長指示情報が含まれるＤＣＩを送信し、当該伝送時間長指示情報は、当該目標伝送時間長を示すために用いられ、例えば、当該伝送時間長指示情報は、当該第１チャネルの占用する直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）符号の数を示すために用いられるが、本発明の実施例はこれに限定しない。これに対応し、当該端末デバイスは、当該ＤＣＩを受信した後、当該ＤＣＩ内の伝送時間長指示情報が示す目標伝送時間長及び伝送時間範囲とチャネル優先度との間の対応関係に応じて、当該ＤＣＩがスケジューリングする第１チャネルのチャネル優先度を確定するが、本発明の実施例はこれに限定しない。
【００７５】
選択可能で、チャネル優先度と伝送時間範囲との間の対応関係は、プロトコルに定義される。又は、チャネル優先度と伝送時間範囲との間の対応関係は、ネットワークデバイスにより予め構成され、この時、選択可能で、当該ネットワークデバイスは、さらに、当該端末デバイスに当該対応関係を示すための指示情報を送信するが、本発明の実施例はこれに限定しない。
【００７６】
他の選択可能な実施例として、本発明の実施例において、異なるチャネル優先度に異なる伝送タイミングが構成され、ここで、当該伝送タイミングは、ＤＣＩとデータチャネル伝送との間の時間間隔及び／又はデータチャネル伝送と確認／否認（ＡＣＫ／ＮＡＣＫ：Ａｃｋｎｏｗｌｅｄｇｅｍｅｎｔ／Ｎｏｎ−Ａｃｋｎｏｗｌｅｄｇｅｍｅｎｔ）との間のハイブリッド自動再送要求（ＨＡＲＱ：Ｈｙｂｒｉｄ  Ａｕｔｏｍａｔｉｃ  Ｒｅｐｅａｔ Ｒｅｑｕｅｓｔ）時系列を含むが、本発明の実施例はこれを限定しない。この時、ネットワークデバイスは、当該第１チャネルのチャネル優先度に対応する伝送タイミングを確定し、当該第１チャネルの伝送をスケジューリングするためのＤＣＩには、当該に対応する伝送タイミングを示すための伝送タイミング指示情報が含まれる。これに対応し、当該端末デバイスは、当該ＤＣＩを受信した後、当該ＤＣＩに含まれる伝送タイミング指示情報に応じて、当該ＤＣＩがスケジューリングする第１チャネルの伝送に使用する伝送タイミングを確定し、当該伝送タイミングに応じて当該第１チャネルのチャネル優先度を確定するが、本発明の実施例はこれに限定しない。
【００７７】
選択可能で、異なるチャネル優先度に対応する伝送タイミングは、プロトコルに定義され、又は、ネットワークデバイスにより予め構成され、この時、選択可能で、当該ネットワークデバイスは、さらに、当該端末デバイスに異なるチャネル優先度に対応する伝送タイミングを示すための指示情報を送信するが、本発明の実施例はこれに限定しない。
【００７８】
Ｓ２４０において、端末デバイスとネットワークデバイスが当該第１チャネルのチャネル優先度に応じて、当該第１チャネルの伝送方式を確定する。
【００７９】
本発明の実施例において、異なるチャネル優先度に異なる伝送方式が構成され、ここで、１つのチャネル優先度が１つの又は複数の伝送方式に対応し、各伝送方式が、１つの又は複数の伝送パラメータを含み、即ち、各伝送方式が１つの伝送パラメータセットに対応し、当該伝送パラメータセットは、チャネル符号化方式、多元方式、再送方式、復調参照信号パターン、プリコーディング方式、変調符号化方式(ＭＣＳ：Ｍｏｄｕｌａｔｉｏｎ  ａｎｄ  Ｃｏｄｉｎｇ  Ｓｃｈｅｍｅ）、時間領域伝送ユニット長さ、伝送時間、伝送タイミング 、サイクリックプレフィックスタイプ等のパラメータのうちの１つ又は複数のパラメータを含むが、本発明の実施例はこれに限定しない。表１に示す例において、２つのチャネル優先度であるチャネル優先度０及びチャネル優先度１が定義され、さらに、各チャネル優先度に１つの対応する伝送方式が構成され、異なる伝送方式が異なる伝送パラメータセットに対応するが、本発明の実施例はこれに限定しない。
【表１】
2020503748.tif 000003
【００８０】
選択可能で、異なるチャネル優先度に対応する伝送方式は、ネットワークデバイスが端末デバイスと予め構成され、又は、ネットワークデバイスがＲＲＣシグナリングによって端末デバイスに通知し、即ち、Ｓ２１０の前に、当該方法２００は、さらに、ネットワークデバイスが端末デバイスにＲＲＣシグナリングを送信することを含み、当該ＲＲＣシグナリングは、チャネル優先度と伝送方式との間の対応関係を示すために用いられ、これに対応し、当該端末デバイスが当該ＲＲＣシグナリングを受信した後、当該チャネル優先度と伝送方式との間の対応関係を記憶し、さらに、以降のチャネルの伝送を行時に、当該チャネルのチャネル優先度及び記憶されたチャネル優先度と伝送方式との間の対応関係に応じて、当該チャネルの伝送に使用する伝送方式を確定するが、本発明の実施例はこれを限定しない。
【００８１】
選択可能な実施例として、当該第１チャネルの伝送方式は、当該第１チャネルのチャネル符号化方式を含み、ここで、当該第１チャネルのチャネル符号化方式は、低密度パリティ検査(ＬＤＰＣ：Ｌｏｗ  Ｄｅｎｓｉｔｙ  Ｐａｒｉｔｙ  Ｃｈｅｃｋ)コード、ポーラー（Ｐｏｌａｒ）コード、テイルバイティングコード（ＴＢＣＣ：Ｔａｉｌ−ｂｉｔ  ｃｏｎｖｏｌｕｔｉｏｎ  ｃｏｄｅ）又はＴｕｒｂｏコード等であっても良いが、本発明の実施例はこれを限定しない。
【００８２】
具体的に、当該端末デバイスは、異なるチャネル優先度に従って異なるチャネル符号化方式を採用することができる。例えば、当該第１チャネルのチャネル優先度が０である場合、当該端末デバイスは、当該第１チャネルのチャネル符号化方式をＬＤＰＣとして確定し、当該第１チャネルのチャネル優先度が１である場合、当該端末デバイスは、当該第１チャネルのチャネル符号化方式をＰｏｌａｒコードとして確定する。このように、異なるチャネル優先度に対して、異なるチャネル符号化方式を利用して、異なる伝送遅延及び伝送信頼性を実現して、異なるサービスタイプの要求を満たす。
【００８３】
他の選択可能な実施例として、当該第１チャネルの伝送方式は、当該第１チャネルの伝送時間長、即ち、当該第１チャネルの占用する時間領域リソースの長さを含み、選択可能で、当該時間領域リソースの長さが、時間領域リソースに含まれるＯＦＤＭ符号の数であるが、本発明の実施例はこれに限定しない。例えば、当該第１チャネルがデータチャネルであり、当該第１チャネルのチャネル優先度が０である場合、端末デバイスは、タイムスロットを利用して当該第１チャネルを伝送することができ、当該第１チャネルのチャネル優先度が１である場合、端末デバイスは、ミニタイムスロットを利用して当該第１チャネルを伝送することができ、ここで、ミニタイムスロットの長さがネットワーク側で構成されても良い。本発明の実施例において、選択可能で、伝送遅延の要求の高いサービスタイプに対し高いチャネル優先度を確定し、さらに、短い時間領域リソースで伝送する。一方、伝送遅延の要求の低いサービスタイプに対し低いチャネル優先度を確定し、さらに、長い時間領域リソースで伝送することで、異なる要求を満たす。
【００８４】
他の選択可能な実施例として、当該第１チャネルの伝送方式は、当該第１チャネルに使用する多元方式を含み、例えば、当該多元方式は、離散フーリエ変換拡張周波数分割多元アクセス（ＤＦＴ−Ｓ−ＯＦＤＭ：Ｄｉｓｃｒｅｔｅ  Ｆｏｕｒｉｅｒ  Ｔｒａｎｓｆｏｒｍ  Ｓｐｒｅａｄ  ＯＦＤＭ）、サイクリックプレフィックス直交周波数分割多重（ＣＰ−ＯＦＤＭ：Ｃｙｃｌｉｃ  Ｐｒｅｆｉｘ  ＯＦＤＭ）、シングルキャリア周波数分割多元アクセス（ＳＣ−ＦＤＭＡ：Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）、直交周波数分割多元アクセス(ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ)等を含む。選択可能で、本発明の実施例において、チャネル優先度の高いチャネルは、ＣＰ−ＯＦＤＭを採用し、チャネル優先度の低いチャネルは、ＤＦＴ−Ｓ−ＯＦＤＭを採用しているが、本発明の実施例はこれに限定しない。
【００８５】
他の選択可能な実施例として、当該第１チャネルの伝送方式は、当該第１チャネルのＭＣＳを含む。選択可能で、本発明の実施例において、同一の指示情報に対して、異なるチャネル優先度が異なる変調符号化方式に対応し、つまり、ＭＣＳ指示情報がＭＣＳ＝ｋを示す場合、異なるチャネル優先度に従って、ＭＣＳ＝ｋに対応する変調符号化方式が異なる。この時、当該第１チャネルがデータチャネルである場合、当該端末デバイスは、当該第１チャネルのチャネル優先度に応じて、当該第１チャネルをスケジューリングするためのＤＣＩ内のＭＣＳ指示情報に対応する変調符号化方式を確定する。
【００８６】
１つの選択可能な例として、当該第１チャネルのチャネル優先度が０である場合、ＭＣＳ指示情報は、固定のＭＣＳに対応し、ｍＭＴＣサービスに応用される。当該第１チャネルのチャネル優先度が１である場合、ＭＣＳ指示情報は、変調方式がクォドラチャー位相シフトキィーイング（ＱＰＳＫ：Ｑｕａｄｒａｔｕｒｅ  Ｐｈａｓｅ  Ｓｈｉｆｔ  Ｋｅｙｉｎ）又は１６直交振幅変調（ＱＡＭ：Ｑｕａｄｒａｔｕｒｅ  Ａｍｐｌｉｔｕｄｅ  Ｍｏｄｕｌａｔｉｏｎ）であるＭＣＳに対応し、ＵＲＬＬＣサービスに応用されて、信頼性を保証する。当該第１チャネルのチャネル優先度が２である場合、ＭＣＳ指示情報は、変調方式がＱＰＳＫ、１６ＱＡＭ又は６４ＱＡＭであるＭＣＳに対応し、ｅＭＢＢサービスに応用されて、伝送効率を保証する。例えば、ＭＣＳ指示情報が１０１であり、当該第１チャネルのチャネル優先度が０である場合、当該ＭＣＳ指示情報が示す変調方式がＱＰＳＫであり、当該第１チャネルのチャネル優先度が１である場合、当該ＭＣＳ指示情報が示す変調方式が１６ＱＡＭであり、当該第１チャネルのチャネル優先度が２である場合、当該ＭＣＳ指示情報が示す変調方式が６４ＱＡＭであるが、本発明の実施例はこれに限定しない。
【００８７】
他の選択可能な実施例として、当該第１チャネルの伝送方式は、当該第１チャネルの再送方式を含み、例えば、当該第１チャネルに対する複数の再送するかどうか及び／又は再送の回数等である。１つの選択可能な例として、当該第１チャネルがデータチャネルであり、当該第１チャネルのチャネル優先度が０である場合、端末デバイスは、当該第１チャネルを継続して複数に繰り替えて伝送し、ここで、異なる伝送に対応する冗長方式が異なり、当該第１チャネルのチャネル優先度が１である場合、端末デバイスは、当該第１チャネルを一回のみに伝送する。このように、信頼性の要求の高いサービスに対し、複数の伝送の方式で伝送の信頼性を確保することができる。
【００８８】
他の選択可能な実施例として、当該第１チャネルの伝送方式は、当該第１チャネルのプリコーディング方式を含み、例えば、シングルポート伝送、送信ダイバー シチ、空間多重化、オープンループプリコーディング、準オープンループプリコーディング、又は閉ループプリコーディング等であるが、本発明の実施例はこれを限定しない。例えば、当該第１チャネルのチャネル優先度が０である場合、当該第１チャネルのプリコーディング方式が送信ダイバーシチであり、そうでない場合、当該第１チャネルのプリコーディング方式が空間多重化である。本発明の実施例において、選択可能で、信頼性の要求高いサービスタイプに対し、高いチャネル優先度を確定し、さらに、下位のプリコーディング方式を使用し、伝送効率要求の高いサービスタイプに対し、低いチャネル優先度を設定し、さらに、上位のプリコーディング方式を使用して、異なるサービスタイプの要求を満たす。
【００８９】
他の選択可能な実施例として、当該第１チャネルの伝送方式は、当該第１チャネルのサイクリックプレフィックス（ＣＰ  Ｃｙｃｌｉｃ  Ｐｒｅｆｉｘ）タイプ、例えば通常のＣＰ又は拡張ＣＰを含む。例えば、当該第１チャネルのチャネル優先度が低い場合、通常のＣＰを使用し、当該第１チャネルのチャネル優先度が高い場合、拡張ＣＰを使用するが、本発明の実施例はこれに限定しない。
【００９０】
他の選択可能な実施例として、当該第１チャネルが周期に伝送されるチャネルである場合、当該第１チャネルの伝送方式が当該第１チャネルの伝送周期を含む。例えば、当該第１チャネルのチャネル優先度が０である場合、当該第１チャネルが短い伝送周期を有し、当該第１チャネルのチャネル優先度が１である場合、当該第１チャネルが長い伝送周期を有するが、本発明の実施例はこれに限定しない。
【００９１】
他の選択可能な実施例として、当該第１チャネルがデータチャネルである場合、当該第１チャネルの伝送方式は、当該第１チャネルの伝送タイミングを含む。選択可能で、当該第１チャネルの伝送タイミングは、当該第１チャネルと当該第１チャネルをスケジューリングするためのＤＣＩとの間の時間間隔、即ち、当該ＤＣＩの占用する時間領域リソースと当該第１チャネルの占用する時間領域リソースとの間の間隔の時間領域リソースユニットの数を含み、又は、当該第１チャネルの伝送タイミングは、当該第１チャネルと対応するＡＣＫ／ＮＡＣＫとの間のＨＡＲＱ時系列、即ち当該第１チャネルの占用する時間領域リソースと対応するＡＣＫ／ＮＡＣＫ応答の占用する時間領域リソースとの間の間隔の時間領域リソースユニットの数を含み、ここで、ここの当該時間領域リソースユニットは、タイムスロット、サブフレーム、ミニタイムスロット又はＯＦＤＭ符号であっても良いが、本発明の実施例はこれを限定しない。
【００９２】
他の選択可能な実施例として、当該第１チャネルがデータチャネルである場合、当該第１チャネルの伝送方式は、当該第１チャネルのＨＡＲＱコンバイン方式、例えばソフトコンバイン（ＣＣ：Ｃｈａｓｅ  Ｃｏｍｂｉｎｅ）又は増分冗長(ＩＲ：Ｉｎｃｒｅｍｅｎｔａｌ  Ｒｅｄｕｎｄａｎｃｙ)等を含むが、本発明の実施例はこれを限定しない。
【００９３】
他の選択可能な実施例として、当該第１チャネルがデータチャネルである場合、当該第１チャネルの伝送方式が当該第１チャネルの復調参照信号（ＤＭＲＳ：Ｄｅｍｏｄｕｌａｔｉｏｎ  Ｒｅｆｅｒｅｎｃｅ  Ｓｉｇｎａｌ）パターンを含む。選択可能で、複数のＤＭＲＳパターンを予め定義又は構成され、異なるチャネル優先度のチャネルの伝送が異なるＤＭＲＳパターンを利用して、異なるチャネル推定性能を実現する。ここで、異なるＤＭＲＳパターンが異なるパイロットＲＥ密度を有し、ここで、当該パイロットＲＥは、当該ＤＭＲＳを搬送するためのものである。選択可能で、信頼性の要求の高いサービスタイプに対し、高いチャネル優先度を設定して、高いパイロットＲＥ密度を有するＤＭＲＳパターンを使用し、伝送効率の要求の高いサービスタイプに対し、低いチャネル優先度を設定して、低いＲＥ密度を有するＤＭＲＳパターンを使用して、パイロットオーバーヘッドを低減させ、異なるサービスタイプの要求を満たす。
【００９４】
他の選択可能な実施例として、当該第１チャネルがアップリンクデータチャネルである場合、当該第１チャネルの伝送方式は、当該第１チャネルの送信電力を含む。選択可能で、当該端末デバイスがネットワークデバイスに当該第１チャネル及び第２チャネルを同時に送信し、且つ、当該第１チャネルと第２チャネルの現在送信電力との和が当該端末デバイスの最大送信電力より大きい場合、当該端末デバイスは、当該第１チャネルのチャネル優先度に応じて、当該第１チャネルの目標送信電力を確定し、当該目標送信電力で当該第１チャネルを送信し、ここで、当該第１チャネルの目標送信電力が当該第１チャネルの現在送信電力の以下である。選択可能で、当該第１チャネルの現在送信電力は、当該端末デバイスが約束されたアップリンク電力制御により確定されたものである。１つの選択可能な例として、端末デバイスの当該第１チャネルと他のアップリンクチャネルの送信電力との和が当該端末デバイスの最大送信電力より大きい場合、当該端末デバイスは、当該第１チャネルと当該他のアップリンクチャネルのチャネル優先度を比較し、又は、当該第１チャネルのチャネル優先度と優先度閾値を比較し、当該第１チャネルの送信電力を下げるかどうかを確定する。例えば、当該第１チャネルのチャネル優先度が低い場合、当該端末デバイスが当該第１チャネルの送信電力を下げる。ここで、選択可能で、当該第１チャネルの送信電力が０に下げ、この時、端末デバイスが当該第１チャネルを伝送しないが、本発明の実施例はこれに限定しない。選択可能で、当該第１チャネルのチャネル優先度が高い場合、当該端末デバイスが当該第１チャネルの送信電力を下げなく、現在の送信電力をそのまま利用する。このように、端末デバイスの送信電力が限られた場合、高い優先度のデータ又はサービスの伝送機能を優先して保証することで、高い優先度データ及びサービス要求を満たす。
【００９５】
選択可能で、当該端末デバイスは、当該第１チャネルのチャネル優先度に応じて、当該第１チャネルの最大許可送信電力又は電力上昇（ｐｏｗｅｒ  ｂｏｏｓｔｉｎｇ）値を確定し、ここで、当該第１チャネルの電力上昇値は、当該端末デバイスが当該第１チャネルの送信電力を確定するために用いられる。このように、送信電力を上げて高い優先度のデータ又はサービスの伝送機能を保証することで、高い優先度データ及びサービス要求を満たす。
【００９６】
他の選択可能な実施例として、当該第１チャネルがアップリンクチャネルである場合、当該第１チャネルの伝送方式は、当該第１チャネルのリソース競合処理方式、即ち当該第１チャネルの伝送が他のチャネルの伝送とリソース競合する場合の処理方式を含む。ここのリソース競合は、当該第１チャネルを伝送するための物理リソースが他のチャネルを伝送するための物理リソースと重なり、又は、当該第１チャネルが他のチャネルと異なる伝送方式（例えば、異なる多元方式又はサブキャリア間隔を利用する）を利用し且つ同じ時間領域リソース又は周波数領域リソースにおいて伝送する必要があるが、端末デバイスの能力がこのような伝送方式をサポートしない。本発明の実施例はこれを限定しない。
【００９７】
選択可能で、当該第１チャネルの物理リソースが他のチャネル（例えば第３チャネル）の物理リソースと競合する場合、当該第１チャネルのチャネル優先度に応じて、競合する当該物理リソースにおいて当該第１チャネルを伝送するかどうかを確定する。
【００９８】
選択可能で、当該端末デバイスは、当該第１チャネル及び競合する他のチャネル（即ち第３チャネルである）のチャネル優先度を比較して、競合する当該物理リソースにおいて当該第１チャネルを伝送するかどうかを確定する。具体的に、当該第１チャネルのチャネル優先度が物理リソースにおいて競合する他のチャネルの優先度の以上である場合、端末デバイスが競合する物理リソースにおいて当該第１チャネルを優先して伝送することができ、そうでない場合、当該端末デバイスが競合する物理リソースにおいて当該第１チャネルに搬送される情報を廃棄し、又は、当該第１チャネルに対しレートマッチングを行うことができる。このように、リソース競合が発生した場合、遅延、信頼性の要求の高いサービスを優先して伝送して、対応する要求を満たす。例えば、当該第１チャネルが物理アップリンク制御チャネル(ＰＵＣＣＨ：Ｐｈｙｓｉｃａｌ  Ｕｐｌｉｎｋ  Ｃｏｎｔｒｏｌ  Ｃｈａｎｎｅｌ）であり、当該第１チャネルが他のＰＵＣＣＨとリソース競合する場合、各チャネルのチャネル優先度に応じて、情報廃棄原則として、チャネル優先度の高いアップリンク制御チャネルに含まれる制御情報を優先して伝送し、搬送されないチャネル優先度の低いアップリンク制御チャネルに含まれる制御情報を廃棄して、高い優先度の制御チャネル伝送を保証する。
【００９９】
選択可能で、当該端末デバイスは、当該第１チャネルのチャネル優先度と優先度閾値を比較して、競合する当該物理リソースにおいて当該第１チャネルを伝送するかどうかを確定する。例えば、当該第１チャネルのチャネル優先度が当該優先度閾値より高い場合、当該端末デバイスは、当該競合する物理リソースにおいて当該第１チャネルを伝送すると確定し、そうでない場合、当該端末デバイスは、当該第１チャネルに搬送される情報を廃棄し、又は、当該第１チャネルに対しレートマッチングを行うが、本発明の実施例はこれに限定しない。
【０１００】
他の選択可能な実施例として、当該第１チャネルがＵＣＩの搬送されるアップリンクデータチャネルである場合、当該第１チャネルの伝送方式は、当該第１チャネルに含まれるＵＣＩの伝送方式、例えば、ＵＣＩの当該第１チャネルでの再送回数、ＵＣＩの当該第１チャネル内の占用するリソースユニット（ＲＥ：Ｒｅｓｏｕｒｃｅ  Ｅｌｅｍｅｎｔ、）及び／又はＵＣＩのャネル符号化方式等を含むが、本発明の実施例はこれを限定しない。
【０１０１】
他の選択可能な実施例として、当該第１チャネルがダウンリンクチャネルである場合、当該第１チャネルの伝送方式は、当該第１チャネルの仮想多重化方式を含み、当該端末デバイスは、当該仮想多重化方式を利用して、信号検出及び／又はチャネル推定を行うことができ、ここで、当該仮想多重化方式は、シングルユーザマルチ入力マルチ出力（ＳＵ−ＭＩＭＯ：Ｓｉｎｇｌｅ  Ｕｓｅｒ  Ｍｕｌｔｉｐｌｅ  Ｉｎｐｕｔ  Ｍｕｌｔｉｐｌｅ  Ｏｕｔｐｕｔ）又はマルチユーザマルチ入力マルチ出力（ＭＵ−ＭＩＭＯ：Ｍｕｌｔｉｐｌｅ  Ｕｓｅｒ  Ｍｕｌｔｉｐｌｅ  Ｉｎｐｕｔ  Ｍｕｌｔｉｐｌｅ  Ｏｕｔｐｕｔ）等を含むが、本発明の実施例はこれを限定しない。例えば、当該第１チャネルがダウンリンクデータチャネルであり、当該第１チャネルのチャネル優先度が０である場合、当該端末デバイスは、当該データチャネルをＳＵ−ＭＩＭＯとして使用し、当該第１チャネルのＤＭＲＳリソースに他のＤＭＲＳポートが存在しないと仮想し、当該第１チャネルのチャネル優先度が０より大きい場合、端末デバイスは、当該第１チャネルのＤＭＲＳリソースに他の多重ＤＭＲＳポートが存在する可能性があると仮想する。このように、端末デバイスは、異なる仮想多重化方式で異なる検出アルゴリズムを利用して、検出性能を向上させることができる。
【０１０２】
他の選択可能な実施例として、当該第１チャネルがダウンリンクチャネルである場合、当該第１チャネルの伝送方式は、当該第１チャネルでの復号失敗時の記憶方式、即ち端末デバイスが当該第１チャネルの復号失敗する時に当該第１チャネルに搬送される情報を記憶する方式を含む。具体的に、現在ソフトバッファ（ｓｏｆｔ  ｂｕｆｆｅｒ）が当該第１チャネルに搬送される情報を記憶することができない場合、端末デバイスは、当該第１チャネルのチャネル優先度に応じて、当該第１チャネルに搬送される情報を優先して記憶する必要があるかどうかを確定し、ここで、選択可能で、当該第１チャネルのチャネル優先度が低い場合、当該端末デバイスは、当該第１チャネルに搬送される情報を廃棄するが、本発明の実施例はこれに限定しない。
【０１０３】
他の選択可能な実施例として、当該第１チャネルがダウンリンクデータチャネルである場合、当該方法２００は、さらに、当該端末デバイスが当該第１チャネルのチャネル優先度に応じて、当該第１チャネルに対応するＡＣＫ／ＮＡＣＫ応答の伝送方式及び伝送優先度のうちの少なくとも１つ確定することを含む。
【０１０４】
選択可能で、当該応答情報の伝送方式は、ＡＣＫ／ＮＡＣＫバンドリング（ｂｕｎｄｌｉｎｇ）を行うかどうか、再送を行うかどうか等を含むが、本発明の実施例はこれを限定しない。選択可能で、当該第１チャネルのＡＣＫ／ＮＡＣＫ応答が他のデータチャネルのＡＣＫ／ＮＡＣＫ応答と競合する場合、当該端末デバイスは、当該第１チャネルのチャネル優先度に応じて、当該第１チャネルに対応するＡＣＫ／ＮＡＣＫの伝送優先度を確定し、これによって、当該第１チャネルのＡＣＫ／ＮＡＣＫを伝送する必要があるかどうかを確定する。具体的に、当該端末デバイスは、当該第１チャネルのチャネル優先度と他のデータチャネルのチャネル優先度を比較し、又は、当該第１チャネルのチャネル優先度と優先度閾値を比較し、当該第１チャネルのＡＣＫ／ＮＡＣＫを伝送するかどうかを確定する。例えば、当該第１チャネルのチャネル優先度が高い場合、チャネル優先度が低いデータチャネルに対応するＡＣＫ／ＮＡＣＫを廃棄することで、ＱｏＳの高いデータのＡＣＫ／ＮＡＣＫの伝送を保証することができるが、本発明の実施例はこれに限定しない。
【０１０５】
なお、本発明の実施例において、当該第１チャネルの伝送方式は、以下の例のうちの少なくとも１つを含むが、本発明の実施例はこれを限定しない。
【０１０６】
Ｓ２５０において、端末デバイスとネットワークデバイスが、確定された当該伝送方式を利用して当該第１チャネルの伝送を行う。
【０１０７】
具体的に、当該第１チャネルがアップリンクチャネルである場合、当該端末デバイスは、確定された当該伝送方式を利用して、当該第１チャネルを送信し、これに対応し、当該ネットワークデバイスは、確定された当該伝送方式を利用して当該第１チャネルを受信する。当該第１チャネルがダウンリンクチャネルである場合、当該ネットワークデバイスは、確定された当該伝送方式を利用して当該第１チャネルを送信し、これに対応し、当該端末デバイスは、確定された当該伝送方式を利用して当該第１チャネルを受信する。
【０１０８】
そして、本発明の実施例における伝送方法によって、ネットワークデバイスが第１チャネルのチャネル優先度を確定し、端末デバイスに当該第１チャネルのチャネル優先度を示すための指示情報を送信し、当該端末デバイスとネットワークデバイスが、当該第１チャネルのチャネル優先度に応じて、当該第１チャネルの伝送方式を確定し、確定された当該伝送方式を利用して当該第１チャネルの伝送を行い、異なる伝送方式を利用して異なるチャネル優先度を有するチャネルを伝送することを容易にすることで、システムリソースが限られる場合に異なるサービスの要求を満たすことができる。
【０１０９】
なお、本発明の実施例において、端末デバイスは、現在伝送するチャネルのチャネル優先度を把握して、対応する物理層伝送パラメータで伝送を行うことで、チャネル優先度に対応するサービスの遅延、信頼性、スループット等の要求をできるだけ満たす。
【０１１０】
なお、上記の実施例において、当該ネットワークデバイスが当該端末デバイスに指示情報を送信して第１チャネルのチャネル優先度を通知し、選択可能で、当該端末デバイスが他の方式で当該第１チャネルのチャネル優先度を確定することができるが、本発明の実施例はこれを限定しない。
【０１１１】
なお、本発明の各実施例において、上記各過程の番号が実行順番の前後を意味しなく、各過程の実行順番は、その機能及び組み込み論理に決定され、本発明の実施例の実行過程を限定しない。
【０１１２】
以上、図１〜図２に基づいて、本発明の実施例における伝送方法を説明しており、以下、図３〜図６に基づいて、本発明の実施例における伝送装置を説明する。
【０１１３】
図３は本発明の実施例における伝送装置３００を示す。当該伝送装置３００は、確定ユニット３１０及び送受信ユニット３２０を含む。
【０１１４】
確定ユニット３１０は、第１チャネルのチャネル優先度を確定し、当該第１チャネルのチャネル優先度に応じて、当該第１チャネルの伝送方式を確定するように構成される。
【０１１５】
送受信ユニット３２０は、当該確定ユニット３１０により確定された当該伝送方式を利用して、当該第１チャネルの伝送を行うように構成される。
【０１１６】
選択可能で、当該第１チャネルがデータチャネルである。この時、当該確定ユニット３１０は、具体的に、ネットワークデバイスにより送信されたＤＣＩに応じて、当該第１チャネルのチャネル優先度を確定し、ここで、当該ＤＣＩは、当該第１チャネルの伝送をスケジューリングするために用いられる。
【０１１７】
選択可能で、当該確定ユニット３１０は、具体的に、
当該ＤＣＩに含まれる、当該第１チャネルのチャネル優先度を示すための優先度指示情報に応じて、当該第１チャネルのチャネル優先度を確定し、又は、
当該ＤＣＩのＤＣＩフォーマットに応じて、当該第１チャネルのチャネル優先度を確定し、又は、
当該ＤＣＩのＣＲＣコードのスクランブリングシーケンスに応じて、当該第１チャネルのチャネル優先度を確定し、又は、
当該ＤＣＩの占用する制御チャネルリソースに応じて、当該第１チャネルのチャネル優先度を確定し、又は、
当該ＤＣＩに含まれる伝送タイミング指示情報に応じて、当該第１チャネルのチャネル優先度を確定し、又は、
当該ＤＣＩに含まれる伝送時間長指示情報に応じて、当該第１チャネルのチャネル優先度を確定するように構成され、
ここで、当該伝送タイミング指示情報は、当該ＤＣＩと当該第１チャネルとの間の時間間隔及び／又は当該第１チャネルと当該第１チャネルに対応するＡＣＫ／ＮＡＣＫと応答との間のＨＡＲＱ時系列を示すために用いられ、
ここで、当該伝送時間長指示情報は、当該第１チャネルの占用する時間領域リソースの長さを示すために用いられる。
【０１１８】
選択可能で、当該第１チャネルがアップリンクチャネルである場合、当該第１チャネルの伝送方式は、当該第１チャネルの送信電力を含む。この時、当該確定ユニット３１０は、具体的に、当該伝送装置が当該第１チャネルを送信する同時に、ネットワークデバイスに第２チャネルを送信する必要があり、且つ、当該第１チャネルと当該第２チャネルの現在送信電力との和が当該伝送装置の最大送信電力より大きい場合、当該第１チャネルのチャネル優先度に応じて、当該第１チャネルの目標送信電力を確定するように構成され、当該第１チャネルの目標送信電力が当該第１チャネルの現在送信電力の以下であり、ここで、当該第１チャネルの目標送信電力は、当該第１チャネルを伝送するための送信電力である。
【０１１９】
選択可能で、当該第１チャネルがアップリンクチャネルである場合、当該第１チャネルの伝送方式は、当該第１チャネルの送信電力を含む。この時、当該確定ユニット３１０は、具体的に、
当該第１チャネルのチャネル優先度に応じて、当該第１チャネルの最大許可送信電力又は電力上昇値を確定し、
当該第１チャネルの最大許可送信電力又は電力上昇値に応じて、当該第１チャネルの送信電力を確定するように構成される。
【０１２０】
選択可能で、当該確定ユニット３１０は、具体的に、当該第１チャネルがアップリンクチャネルであり、且つ、当該第１チャネルの物理リソースが当該伝送装置の第３チャネルの物理リソースと競合する場合、当該第１チャネルのチャネル優先度に応じて、当該物理リソースにおいて当該第１チャネルを伝送するかどうかを確定するように構成される。
【０１２１】
選択可能で、当該確定ユニット３１０は、具体的に、
当該第１チャネルがデータチャネルである場合、当該第１チャネルのチャネル優先度に応じて、当該第１チャネルの伝送をスケジューリングするためのＤＣＩに含まれるＭＣＳ指示情報が示す変調符号化方式を確定するように構成される。
【０１２２】
選択可能で、当該第１チャネルがダウンリンクデータチャネルである場合、当該確定ユニット３１０は、さらに、当該第１チャネルのチャネル優先度に応じて、当該第１チャネルのＡＣＫ／ＮＡＣＫ応答の伝送優先度及び伝送方式のうちの少なくとも１つを確定するように構成される。
【０１２３】
選択可能で、当該送受信ユニット３２０は、さらに、当該確定ユニット３１０が当該第１チャネルのチャネル優先度に応じて当該第１チャネルの伝送方式を確定する前に、ネットワークデバイスにより送信された無線リソース制御ＲＲＣシグナリングを受信するように構成され、当該ＲＲＣシグナリングは、少なくとも１つ予め設定されたチャネル優先度と伝送方式との間の対応関係を示すために用いられ、これに対応し、当該確定ユニット３１０は、具体的に、当該送受信ユニット３２０に受信された当該ＲＲＣシグナリングが示す当該対応関係と当該第１チャネルのチャネル優先度に応じて、当該第１チャネルの伝送方式を確定するように構成される 。
【０１２４】
１つの選択可能な例において、当業者は、伝送装置３００が上記の実施例における端末デバイスであり、伝送装置３００が上記の方法実施例の端末デバイスに対応する各プロセス及び／又はステップを実行することができると理解され、重複を回避するために、ここで説明を省略する。
【０１２５】
図４は本発明の実施例における他の伝送装置４００を示す。当該伝送装置４００は、確定ユニット４１０及び送受信ユニット４２０を含む。
【０１２６】
確定ユニット４１０は、第１チャネルのサービスタイプ及び／又は伝送性能要求に応じて、当該第１チャネルのチャネル優先度を確定するように構成される。
【０１２７】
送受信ユニット４２０は、端末デバイスに指示情報を送信するように構成される、当該指示情報は、当該確定ユニット４１０により確定された当該第１チャネルのチャネル優先度を示すために用いられる。
【０１２８】
選択可能で、当該第１チャネルがデータチャネルである。この時、当該送受信ユニット４２０は、具体的に、端末デバイスにＤＣＩを送信するように構成され、当該ＤＣＩは、当該第１チャネルの伝送をスケジューリングするために用いられる。
【０１２９】
選択可能で、当該ＤＣＩは、当該第１チャネルのチャネル優先度を示すための優先度指示情報を含む。
【０１３０】
選択可能で、当該確定ユニット４１０は、さらに、当該送受信ユニット４２０が端末デバイスにＤＣＩを送信する前に、当該第１チャネルのチャネル優先度に対応するＤＣＩフォーマットを確定するように構成され、これに対応し、当該送受信ユニット４２０は、具体的に、当該確定ユニット４１０により確定されたＤＣＩフォーマットを利用して端末デバイスに当該ＤＣＩを送信するように構成される。
【０１３１】
選択可能で、当該確定ユニット４１０は、さらに、当該送受信ユニット４２０が端末デバイスにＤＣＩを送信する前に、当該第１チャネルのチャネル優先度に対応するスクランブリングシーケンスを確定し、さらに、当該に対応するスクランブリングシーケンスを利用して当該ＤＣＩの巡回冗長検査ＣＲＣコードに対しスクランブル処理を行うように構成される。
【０１３２】
選択可能で、当該確定ユニット４１０は、さらに、当該送受信ユニット４２０が端末デバイスにＤＣＩを送信する前に、当該第１チャネルのチャネル優先度に対応する制御チャネルリソースを確定するように構成され、これに対応し、当該送受信ユニット４２０は、具体的に、当該確定ユニット４１０により確定された制御チャネルリソースにおいて、端末デバイスに当該ＤＣＩを送信するように構成される。
【０１３３】
選択可能で、当該確定ユニット４１０は、さらに、当該送受信ユニット４２０が端末デバイスにＤＣＩを送信する前に、当該第１チャネルのチャネル優先度に対応する伝送タイミングを確定するように構成され、ここで、当該第１チャネルに対応する伝送タイミングは、当該ＤＣＩと当該第１チャネルとの間の時間間隔及び／又は当該第１チャネルと当該第１チャネルに対応するＡＣＫ／ＮＡＣＫと応答との間のＨＡＲＱ時系列を含む。この時、当該ＤＣＩは、当該伝送タイミングを示すための伝送タイミング指示情報を含む。
【０１３４】
選択可能で、当該確定ユニット４１０は、さらに、当該送受信ユニット４２０が端末デバイスにＤＣＩを送信する前に、当該第１チャネルのチャネル優先度に対応する伝送時間長を確定するように構成される。この時、当該ＤＣＩは、当該伝送時間長を示すための伝送時間長指示情報を含む。
【０１３５】
選択可能で、当該確定ユニット４１０は、さらに、当該第１チャネルのチャネル優先度に応じて、当該第１チャネルの伝送方式を確定するように構成され、これに対応し、当該送受信ユニット４２０は、さらに、確定された当該伝送方式を利用して当該第１チャネルの伝送を行うように構成される。
【０１３６】
１つの選択可能な例において、当業者は、伝送装置４００が上記の実施例におけるネットワークデバイスであり、伝送装置４００が上記の方法実施例のネットワークデバイスに対応する各プロセス及び／又はステップを実行することができると理解され、重複を回避するために、ここで説明を省略する。
【０１３７】
なお、ここの伝送装置３００及び伝送装置４００が機能ユニットで体現する。ここの単語「ユニット」は、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、１つ以上のソフトウェア又はファームウェアプログラムを実行するプロセッサー（例えば共有プロセッサー、専有プロセッサー又はプロセッサーセット等）、メモリ、結合論理回路及び／又は上記の機能をサポートする他の部品を指す。
【０１３８】
図５は本発明の実施例における伝送装置５００を示す。当該伝送装置５００は、プロセッサ５１０及び送受信機５２０を含む。
【０１３９】
プロセッサ５１０は、第１チャネルのチャネル優先度を確定し、当該第１チャネルのチャネル優先度に応じて、当該第１チャネルの伝送方式を確定するように構成される。
【０１４０】
送受信機５２０は、当該プロセッサ５１０により確定された当該伝送方式を利用して、当該第１チャネルの伝送を行うように構成される。
【０１４１】
選択可能で、当該第１チャネルがデータチャネルである。この時、当該プロセッサ５１０は、具体的に、ネットワークデバイスにより送信されたＤＣＩに応じて、当該第１チャネルのチャネル優先度を確定するように構成され、ここで、当該ＤＣＩは、当該第１チャネルの伝送をスケジューリングするために用いられる。
【０１４２】
選択可能で、当該プロセッサ５１０は、具体的に、
当該ＤＣＩに含まれる、当該第１チャネルのチャネル優先度を示すための優先度指示情報に応じて、当該第１チャネルのチャネル優先度を確定し、又は、
当該ＤＣＩのＤＣＩフォーマットに応じて、当該第１チャネルのチャネル優先度を確定し、又は、
当該ＤＣＩのＣＲＣコードのスクランブリングシーケンスに応じて、当該第１チャネルのチャネル優先度を確定し、又は、
当該ＤＣＩの占用する制御チャネルリソースに応じて、当該第１チャネルのチャネル優先度を確定し、又は、
当該ＤＣＩに含まれる伝送タイミング指示情報に応じて、当該第１チャネルのチャネル優先度を確定し、又は、
当該ＤＣＩに含まれる伝送時間長指示情報に応じて、当該第１チャネルのチャネル優先度を確定するように構成され、
ここで、当該伝送タイミング指示情報は、当該ＤＣＩと当該第１チャネルとの間の時間間隔及び／又は当該第１チャネルと当該第１チャネルに対応するＡＣＫ／ＮＡＣＫとの間のＨＡＲＱ時系列を示し、当該伝送時間長指示情報は、当該第１チャネルの占用する時間領域リソースの長さを示すために用いられる。
【０１４３】
選択可能で、当該第１チャネルがアップリンクチャネルである場合、当該第１チャネルの伝送方式は、当該第１チャネルの送信電力を含む。この時、当該プロセッサ５１０は、具体的に、当該伝送装置が当該第１チャネルを送信する同時に、ネットワークデバイスに第２チャネルを送信する必要があり、且つ、当該第１チャネルと当該第２チャネルの現在送信電力との和が当該伝送装置の最大送信電力より大きい場合、当該第１チャネルのチャネル優先度に応じて、当該第１チャネルの目標送信電力を確定するように構成され、当該第１チャネルの目標送信電力が当該第１チャネルの現在送信電力の以下であり、ここで、当該第１チャネルの目標送信電力は、当該第１チャネルを伝送するための送信電力である。
【０１４４】
選択可能で、当該第１チャネルがアップリンクチャネルである場合、当該第１チャネルの伝送方式は、当該第１チャネルの送信電力を含む。この時、当該プロセッサ５１０は、具体的に、
当該第１チャネルのチャネル優先度に応じて、当該第１チャネルの最大許可送信電力又は電力上昇値を確定し、
当該第１チャネルの最大許可送信電力又は電力上昇値に応じて、当該第１チャネルの送信電力を確定するように構成される。
【０１４５】
選択可能で、当該プロセッサ５１０は、具体的に、当該第１チャネルがアップリンクチャネルであり、且つ、当該第１チャネルの物理リソースが当該伝送装置の第３チャネルの物理リソースと競合する場合、当該第１チャネルのチャネル優先度に応じて、当該物理リソースにおいて当該第１チャネルを伝送するかどうかを確定するように構成される。
【０１４６】
選択可能で、当該プロセッサ５１０は、具体的に、
当該第１チャネルがデータチャネルである場合、当該第１チャネルのチャネル優先度に応じて、当該第１チャネルの伝送をスケジューリングするためのＤＣＩに含まれるＭＣＳ指示情報が示す変調符号化方式を確定するように構成される。
【０１４７】
選択可能で、当該第１チャネルがダウンリンクデータチャネルである場合、当該プロセッサ５１０は、さらに、当該第１チャネルのチャネル優先度に応じて、当該第１チャネルのＡＣＫ／ＮＡＣＫの伝送優先度及び伝送方式のうちの少なくとも１つを確定するように構成される。
【０１４８】
選択可能で、当該送受信機５２０は、さらに、当該プロセッサ５１０が当該第１チャネルのチャネル優先度に応じて当該第１チャネルの伝送方式を確定する前に、ネットワークデバイスにより送信された無線リソース制御ＲＲＣシグナリングを受信するように構成され、当該ＲＲＣシグナリングは、少なくとも１つ予め設定されたチャネル優先度と伝送方式との間の対応関係を示すために用いられ、これに対応し、当該プロセッサ５１０は、具体的に、当該送受信機５２０により受信された当該ＲＲＣシグナリングが示す当該対応関係及び当該第１チャネルのチャネル優先度に応じて、当該第１チャネルの伝送方式を確定するように構成される。
【０１４９】
１つの選択可能な例において、当業者は、伝送装置５００が上記の実施例における端末デバイスであり、伝送装置５００が上記の方法実施例の端末デバイスに対応する各プロセス及び／又はステップを実行することができると理解され、重複を回避するために、ここで説明を省略する。
【０１５０】
選択可能で、伝送装置５００がさらにメモリを含み、当該メモリが読み取り専用メモリ及びランダムアクセスメモリを含み、プロセッサーに命令及びデータを提供する。メモリが不揮発性ランダムアクセスメモリを含む。例えば、メモリは、デイバスタイプの情報を記憶する。当該プロセッサー５１０がメモリに記憶した命令を実行し、当該プロセッサーが当該命令を実行する場合、当該プロセッサーが上記の方法の実施例における端末デバイスに対応する各ステップを実行する。
【０１５１】
図６は本発明の実施例における他の伝送装置６００を示す。当該伝送装置６００は、プロセッサ６１０及び送受信機６２０を含む。
【０１５２】
プロセッサ６１０は、第１チャネルのサービスタイプ及び／又は伝送性能要求に応じて、当該第１チャネルのチャネル優先度を確定するように構成される。
【０１５３】
送受信機６２０は、端末デバイスに指示情報を送信するように構成され、当該指示情報は、当該プロセッサ６１０確定された当該第１チャネルのチャネル優先度を示すために用いられる。
【０１５４】
選択可能で、当該第１チャネルがデータチャネルである。この時、当該送受信機６２０は、具体的に、端末デバイスにＤＣＩを送信するように構成され、当該ＤＣＩは、当該第１チャネルの伝送をスケジューリングするために用いられる。
【０１５５】
選択可能で、当該ＤＣＩは、当該第１チャネルのチャネル優先度を示すための優先度指示情報を含む。
【０１５６】
選択可能で、当該プロセッサ６１０は、さらに、当該送受信機６２０が端末デバイスにＤＣＩを送信する前に、当該第１チャネルのチャネル優先度に対応するＤＣＩフォーマットを確定するように構成され、これに対応し、当該送受信機６２０は、具体的に、当該プロセッサ６１０により確定されたＤＣＩフォーマットを利用して端末デバイスに当該ＤＣＩを送信するように構成される。
【０１５７】
選択可能で、当該プロセッサ６１０は、さらに、当該送受信機６２０が端末デバイスにＤＣＩを送信する前に、当該第１チャネルのチャネル優先度に対応するスクランブリングシーケンスを確定し、さらに、当該に対応するスクランブリングシーケンスを利用して当該ＤＣＩの巡回冗長検査ＣＲＣコードに対しスクランブル処理を行うように構成される。
【０１５８】
選択可能で、当該プロセッサ６１０は、さらに、当該送受信機６２０が端末デバイスにＤＣＩを送信する前に、当該第１チャネルのチャネル優先度に対応する制御チャネルリソースを確定するように構成され、これに対応し、当該送受信機６２０は、具体的に、当該プロセッサ６１０により確定された制御チャネルリソースにおいて端末デバイス当該ＤＣＩを送信するように構成される。
【０１５９】
選択可能で、当該プロセッサ６１０は、さらに、当該送受信機６２０が端末デバイスにＤＣＩを送信する前に、当該第１チャネルのチャネル優先度に対応する伝送タイミングを確定するように構成され、ここで、当該第１チャネルに対応する伝送タイミングは、当該ＤＣＩと当該第１チャネルとの間の時間間隔及び／又は当該第１チャネルと当該第１チャネルに対応するＡＣＫ／ＮＡＣＫとの間のＨＡＲＱ時系列を含む。この時、当該ＤＣＩは、当該伝送タイミングを示すための伝送タイミング指示情報を含む。
【０１６０】
選択可能で、当該プロセッサ６１０は、さらに、当該送受信機６２０が端末デバイスにＤＣＩを送信する前に、当該第１チャネルのチャネル優先度に対応する伝送時間長を確定するように構成される。この時、当該ＤＣＩは、当該伝送時間長を示すための伝送時間長指示情報を含む。
【０１６１】
選択可能で、当該プロセッサ６１０は、さらに、当該第１チャネルのチャネル優先度に応じて、当該第１チャネルの伝送方式を確定するように構成され、これに対応し、当該送受信機６２０は、さらに、確定された当該伝送方式を利用して当該第１チャネルの伝送を行うように構成される。
【０１６２】
１つの選択可能な例において、当業者は、伝送装置６００が上記の実施例におけるネットワークデバイスであり、伝送装置６００が上記の方法実施例のネットワークデバイスに対応する各プロセス及び／又はステップを実行することができると理解され、重複を回避するために、ここで説明を省略する。
【０１６３】
選択可能で、伝送装置６００がさらにメモリを含み、当該メモリが読み取り専用メモリ及びランダムアクセスメモリを含み、プロセッサーに命令及びデータを提供する。メモリが不揮発性ランダムアクセスメモリを含む。例えば、メモリは、デイバスタイプの情報を記憶する。当該プロセッサー６１０がメモリに記憶した命令を実行し、当該プロセッサーが当該命令を実行する場合、当該プロセッサーが上記の方法の実施例における端末デバイスに対応する各ステップを実行する。
【０１６４】
なお、本発明の実施例において、プロセッサーが中央処理ユニット（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。汎用プロセッサは、マイクロプロセッサー、いかなる通常のプロセッサー等であってもよい。
【０１６５】
実現プロセスにおいて、上記の方法の各ステップは、プロセッサのハードウェアの集積論理回路又はソフトウェア形態の命令によって実現することができる。本願の実施例を参照して開示される方法のステップは、ハードウェアプロセッサによって実行してもよいし、プロセッサ内のハードウェアとソフトウェアモジュールグループとの組合せによって実行してもよい。ソフトウェアモジュールは、ランダムメモリ、フラッシュメモリ、読取専用メモリ、プログラム可能な読取専用メモリ又は電気的消去／プログラマブル可能なメモリ、レジスター等の記憶媒体に存在してもよい。当該記憶媒体がメモリに存在し、プロセッサがメモリの情報を読み取り、そのハードウェアで上記の方法のステップを行う。重複を回避するために、ここで説明を省略する。
【０１６６】
なお、本発明の実施例の用語「チャネル優先度」は、その用途によって、送信電力優先度、伝送優先度、ＨＡＲＱ優先度、遅延優先度又は信頼性優先度であっても良く、当該名称が本発明の実施例を限定しない。
【０１６７】
なお、本発明の実施例において、第１チャネルの伝送方式は、第１チャネルに搬送される情報の伝送方式と理解されても良い。例えば、第１チャネルのチャネル符号化方式は、第１チャネルに搬送される情報のチャネル符号化方式であっても良く、第１チャネルの変調符号化方式は、第１チャネルに搬送される情報の変調符号化方式であっても良く、第１チャネルのプリコーディング方式は、第１チャネルに搬送されるデータのプリコーディング方式であっても良く、第１チャネルでの復号失敗する時の情報記憶方式は、第１チャネルに搬送されるデータが復号失敗する時の情報記憶方式であっても良い。
【０１６８】
なお、本明細書において、「システム」及び「ネットワーク」が切替に使用される。本明細書に記載される「及び／又は」、関連対象の関連関係を説明するものだけであり、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【０１６９】
本願に開示されている実施例に説明されている各例示的なユニット及びアルゴリズムのステップを結合し、電子ハードウェア、又はコンピュータソフトウェアと電子ハードウェアの結合を用いて実現することができることを、当業者であれば理解できる。これらの機能がハードウェアの形式かあるいはソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１７０】
当業者は、上記のシステム、装置及びユニットの具体的な動作過程が、上記の方法の実施例に対する過程を参照されると理解され、ここで説明を省略する。
【０１７１】
本発明に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互いのカップリング、又は直接のカップリング、又は通信接続は、幾つかのインターフェース、装置、又はユニットの間接のカップリング又は通信によって接続されても良く、電気的、機械的、又はその他の形式であっても良い。
【０１７２】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１７３】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。上記のユニットは、ハードウェアの機能ユニットによって実現してもよいし、ソフトウェアの機能ユニットよって実現してもよい。
【０１７４】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１７５】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020503748.tif 000004
【図２】
2020503748.tif 000005
【図３】
2020503748.tif 000006
【図４】
2020503748.tif 000007
【図５】
2020503748.tif 000008
【図６】
2020503748.tif 000009
【手続補正書】
【提出日】令和1年12月12日(2019.12.12)
【手続補正１】
【補正対象書類名】明細書
【補正対象項目名】０１７５
【補正方法】削除
【補正の内容】
【手続補正２】
【補正対象書類名】特許請求の範囲
【補正対象項目名】全文
【補正方法】変更
【補正の内容】
【特許請求の範囲】
【請求項１】
端末デバイスが第１チャネルのチャネル優先度を確定することと、
前記端末デバイスが前記第１チャネルのチャネル優先度に応じて、前記第１チャネルの伝送方式を確定することと、
前記端末デバイスが確定された前記伝送方式を使用して前記第１チャネルの伝送を行うこととを含む
ことを特徴とする伝送方法。
【請求項２】
前記第１チャネルがデータチャネルであり、
前記端末デバイスが第１チャネルのチャネル優先度を確定することは、
前記端末デバイスがネットワークデバイスにより送信されたダウンリンク制御情報ＤＣＩに応じて前記第１チャネルのチャネル優先度を確定することを含み、
前記ＤＣＩは、前記第１チャネルの伝送をスケジューリングするために用いられる
ことを特徴とする請求項１に記載の伝送方法。
【請求項３】
前記端末デバイスがネットワークデバイスにより送信されたＤＣＩに応じて前記第１チャネルのチャネル優先度を確定することは、
前記端末デバイスが、前記ＤＣＩに含まれる、第１チャネルのチャネル優先度を示すための優先度指示情報に応じて、前記第１チャネルのチャネル優先度を確定すること、又は、
前記端末デバイスが前記ＤＣＩのＤＣＩフォーマットに応じて、前記第１チャネルのチャネル優先度を確定すること、又は、
前記端末デバイスが前記ＤＣＩの巡回冗長検査ＣＲＣコードのスクランブリングシーケンスに応じて、前記第１チャネルのチャネル優先度を確定すること、又は、
前記端末デバイスが前記ＤＣＩの占用する制御チャネルリソースに応じて、前記第１チャネルのチャネル優先度を確定すること、又は、
前記端末デバイスが前記ＤＣＩに含まれる伝送タイミング指示情報に応じて、前記第１チャネルのチャネル優先度を確定すること、又は、
前記端末デバイスが前記ＤＣＩに含まれる伝送時間長指示情報に応じて、前記第１チャネルのチャネル優先度を確定することを含み、
前記伝送タイミング情報は、前記ＤＣＩと前記第１チャネルとの間の時間間隔及び／又は前記第１チャネルと前記第１チャネルに対応する確認／否認ＡＣＫ／ＮＡＣＫ応答との間のハイブリッド自動再送要求ＨＡＲＱ時系列を示すために用いられ、
前記伝送時間長指示情報は、前記第１チャネルの占用する時間領域リソースの長さを示すために用いられる
ことを特徴とする請求項２に記載の伝送方法。
【請求項４】
前記第１チャネルの伝送方式は、
前記第１チャネルのチャネル符号化方式、前記第１チャネルの伝送時間長、前記第１チャネルの多元方式、前記第１チャネルの変調符号化方式ＭＣＳ、前記第１チャネルの再送方式、前記第１チャネルの送信電力、前記第１チャネルの復調参照信号パターン、前記第１チャネルのプリコーディング方式、前記第１チャネルの仮想多重化方式、前記第１チャネルのリソース競合処理方式、前記第１チャネルの伝送周期、前記第１チャネルでの復号失敗時の情報記憶方式、前記第１チャネル内のアップリンク制御情報の伝送フォーマット、  前記第１チャネルの伝送タイミング、前記第１チャネルのサイクリックプレフィックスＣＰタイプのうちの少なくとも１つを含む
ことを特徴とする請求項１〜３のいずれか１項に記載の伝送方法。
【請求項５】
前記第１チャネルがアップリンクチャネルである場合、前記第１チャネルの伝送方式が前記第１チャネルの送信電力を含み、
前記端末デバイスが前記第１チャネルのチャネル優先度に応じて、前記第１チャネルの伝送方式を確定することは、
前記端末デバイスが、前記第１チャネルを送信する同時に、ネットワークデバイスに第２チャネルを送信する必要があり、且つ、前記第１チャネルと前記第２チャネルの現在送信電力との和が前記端末デバイスの最大送信電力より大きい場合、前記第１チャネルのチャネル優先度に応じて、前記第１チャネルの目標送信電力を確定することを含み、
前記第１チャネルの目標送信電力が前記第１チャネルの現在送信電力の以下であり、前記第１チャネルの目標送信電力が、前記第１チャネルを伝送するための送信電力である
ことを特徴とする請求項１〜４のいずれか１項に記載の伝送方法。
【請求項６】
前記第１チャネルがアップリンクチャネルである場合、前記第１チャネルの伝送方式が前記第１チャネルの送信電力を含み、
前記端末デバイスが前記第１チャネルのチャネル優先度に応じて前記第１チャネルの伝送方式を確定することは、
前記端末デバイスが前記第１チャネルのチャネル優先度に応じて、前記第１チャネルの最大許可送信電力又は電力上昇値を確定することと、
前記端末デバイスが前記第１チャネルの最大許可送信電力又は電力上昇値に応じて、前記第１チャネルの送信電力を確定することとを含む
ことを特徴とする請求項１〜４のいずれか１項に記載の伝送方法。
【請求項７】
前記端末デバイスが前記第１チャネルのチャネル優先度に応じて前記第１チャネルの伝送方式を確定することは、
前記第１チャネルがアップリンクチャネルであり、且つ、前記第１チャネルの物理リソースが前記端末デバイスの第３チャネル的物理リソースと競合する場合、前記第１チャネルのチャネル優先度に応じて、前記物理リソースにおいて前記第１チャネルを伝送するかどうかを確定することを含む
ことを特徴とする請求項１〜６のいずれか１項に記載の伝送方法。
【請求項８】
前記端末デバイスが前記第１チャネルのチャネル優先度に応じて前記第１チャネルの伝送方式を確定することは、
前記第１チャネルの物理リソースが前記端末デバイスの第３チャネル的物理リソースと競合する場合、前記第１チャネルのチャネル優先度に応じて、前記物理リソースにおいて前記第１チャネルを伝送するかどうかを確定することを含む
ことを特徴とする請求項１〜６のいずれか１項に記載の伝送方法。
【請求項９】
前記端末デバイスが前記第１チャネルのチャネル優先度に応じて前記第１チャネルの伝送方式を確定することは、
前記第１チャネルがデータチャネルである場合、前記端末デバイスが前記第１チャネルのチャネル優先度に応じて、前記第１チャネルの伝送をスケジューリングするためのＤＣＩに含まれるＭＣＳ指示情報が示す変調符号化方式を確定することを含む
ことを特徴とする請求項１〜８のいずれか１項に記載の伝送方法。
【請求項１０】
前記第１チャネルがダウンリンクデータチャネルである場合、前記方法は、さらに、
前記端末デバイスが前記第１チャネルのチャネル優先度に応じて、前記第１チャネルのＡＣＫ／ＮＡＣＫ応答の伝送優先度及び伝送方式のうちの少なくとも１つを確定することを含む
ことを特徴とする請求項１〜９のいずれか１項に記載の伝送方法。
【請求項１１】
前記端末デバイスが前記第１チャネルのチャネル優先度に応じて前記第１チャネルの伝送方式を確定する前に、前記方法は、さらに、
前記端末デバイスがネットワークデバイスにより送信された無線リソース制御ＲＲＣシグナリングを受信することを含み、
前記ＲＲＣシグナリングは、少なくとも１つの予め設定されたチャネル優先度と伝送方式との対応関係を示すために用いられ、
前記端末デバイスが前記第１チャネルのチャネル優先度に応じて前記第１チャネルの伝送方式を確定することは、
前記端末デバイスが前記対応関係及び前記第１チャネルのチャネル優先度に応じて、前記第１チャネルの伝送方式を確定することを含む
ことを特徴とする請求項１〜１０のいずれか１項に記載の伝送方法。
【請求項１２】
ネットワークデバイスが、第１チャネルに搬送される情報のサービスタイプ及び／又は伝送性能要求に応じて、前記第１チャネルのチャネル優先度を確定することと、
前記ネットワークデバイスが端末デバイスに指示情報を送信することとを含み、
前記指示情報は、前記第１チャネルのチャネル優先度を示すために用いられる
ことを特徴とする伝送方法。
【請求項１３】
前記第１チャネルがデータチャネルであり、
前記ネットワークデバイスが端末デバイスに指示情報を送信することは、
前記ネットワークデバイスが端末デバイスにダウンリンク制御情報ＤＣＩを送信することを含み、
前記ＤＣＩは、前記第１チャネルの伝送をスケジューリングするために用いられる
ことを特徴とする請求項１２に記載の伝送方法。
【請求項１４】
前記ＤＣＩは、前記第１チャネルのチャネル優先度を示すための優先度指示情報を含む
ことを特徴とする請求項１３に記載の伝送方法。
【請求項１５】
前記ネットワークデバイスが端末デバイスにＤＣＩを送信する前に、前記方法は、さらに、
前記ネットワークデバイスが前記第１チャネルのチャネル優先度に対応するＤＣＩフォーマットを確定することを含み、
前記ネットワークデバイスが端末デバイスにＤＣＩを送信することは、
前記ネットワークデバイスが前記対応するＤＣＩフォーマットを使用して端末デバイスに前記ＤＣＩを送信することを含む
ことを特徴とする請求項１３に記載の伝送方法。
【請求項１６】
前記ネットワークデバイスが端末デバイスにＤＣＩを送信する前に、前記方法は、さらに、
前記ネットワークデバイスが前記第１チャネルのチャネル優先度に対応するスクランブリングシーケンスを確定することと、
前記ネットワークデバイスが前記対応するスクランブリングシーケンスを使用して前記ＤＣＩの巡回冗長検査ＣＲＣコードに対しスクランブル処理を行うことを含む
ことを特徴とする請求項１３に記載の伝送方法。
【請求項１７】
前記ネットワークデバイスが端末デバイスにＤＣＩを送信する前に、前記方法は、さらに、
前記ネットワークデバイスが前記第１チャネルのチャネル優先度に対応する制御チャネルリソースを確定することを含み、
前記ネットワークデバイスが端末デバイスにＤＣＩを送信することは、
前記ネットワークデバイスが前記対応する制御チャネルリソースにおいて端末デバイスに前記ＤＣＩを送信することを含む
ことを特徴とする請求項１３に記載の伝送方法。
【請求項１８】
前記ネットワークデバイスが端末デバイスにＤＣＩを送信する前に、前記方法は、さらに、
前記ネットワークデバイスが前記第１チャネルのチャネル優先度に対応する伝送タイミングを確定することを含み
前記第１チャネルに対応する伝送タイミングは、前記ＤＣＩと前記第１チャネルとの間の時間間隔及び／又は前記第１チャネルと前記第１チャネルに対応する確認／否認ＡＣＫ／ＮＡＣＫ応答との間のハイブリッド自動再送要求ＨＡＲＱ時系列を含み、
前記ＤＣＩは、前記伝送タイミングを示すための伝送タイミング指示情報を含む
ことを特徴とする請求項１３に記載の伝送方法。
【請求項１９】
前記ネットワークデバイスが端末デバイスにＤＣＩを送信する前に、前記方法は、さらに、
前記ネットワークデバイスが前記第１チャネルのチャネル優先度に対応する伝送時間長を確定することを含み、
前記ＤＣＩは、前記伝送時間長を示すための伝送時間長指示情報を含む
ことを特徴とする請求項１３に記載の伝送方法。
【請求項２０】
プロセッサと、命令を記憶するメモリとを含み、
前記プロセッサは、前記メモリに記憶された前記命令を実行して、請求項１〜１９のいずれか１項に記載の伝送方法を実行する
ことを特徴とする伝送装置。
【国際調査報告】
2020503748.tif 000010
2020503748.tif 000011
2020503748.tif 000012
2020503748.tif 000013